(57)【特許請求の範囲】
【請求項１】
第１の周波数帯域と第２の周波数帯域を用いた送信と、第３の周波数帯域と第４の周波数帯域を用いた受信とが可能な無線端末であって、
第１のアンテナと、
第２のアンテナと、
第３のアンテナと、
２系統の上りのベースバンド信号を周波数変換して前記第１の周波数帯域の送信信号と前記第２の周波数帯域の送信信号を出力するように構成された無線処理部と、
前記無線処理部から受けた下りの信号および前記無線処理部へ出力する上りの信号に対してベースバンド処理を実行するベースバンド処理部と、
前記無線処理部から前記第１の周波数帯域の送信信号を受けて、前記第１のアンテナへ出力するように構成されるとともに、前記第１のアンテナからの信号を受けて、前記第３の周波数帯域の受信信号を前記無線処理部へ出力するように構成された第１のマルチプレクサと、
前記無線処理部から前記第２の周波数帯域の送信信号を受けて、前記第２のアンテナへ出力するように構成されるとともに、前記第２のアンテナからの信号を受けて、前記第３の周波数帯域の受信信号と前記第４の周波数帯域の受信信号とを前記無線処理部へ出力するように構成された第２のマルチプレクサと、
前記第３のアンテナからの信号を受けて、前記第４の周波数帯域の受信信号を前記無線処理部へ出力するように構成されたフィルタとを備え、
前記無線処理部は、前記第１のマルチプレクサから出力される前記第３の周波数帯域の受信信号と、前記第２のマルチプレクサから出力される前記第３の周波数帯域の受信信号とをそれぞれベースバンド信号に周波数変換して第１の信号および第２の信号を生成し、前記第２のマルチプレクサから出力される前記第４の周波数帯域の受信信号と、前記フィルタから出力される前記第４の周波数帯域の受信信号とをそれぞれベースバンド信号に周波数変換して第３の信号および第４の信号を生成するように構成され、
前記ベースバンド処理部は、前記第１の信号と前記第２の信号とをダイバーシティ受信処理し、前記第３の信号と前記第４の信号とをダイバーシティ受信処理して、２系統の下りのベースバンド信号を得るように構成される、無線端末。
【請求項２】
前記第１のマルチプレクサは、前記第１のアンテナと接続される第１の端子と、
前記第１の周波数帯域の送信信号を受ける第２の端子と、
前記第３の周波数帯域の受信信号を出力する第３の端子と、
前記第１の周波数帯域の通過特性を有し、前記第１の端子と、前記第２の端子の間に配置された送信フィルタと、
前記第３の周波数帯域の通過特性を有し、前記第１の端子と前記第３の端子との間に配置された受信フィルタとを含む、請求項１記載の無線端末。
【請求項３】
第１の周波数帯域と第２の周波数帯域を用いた送信と、第３の周波数帯域と第４の周波数帯域を用いた受信とが可能な無線端末であって、
第１のアンテナと、
第２のアンテナと、
２系統の上りのベースバンド信号を周波数変換して前記第１の周波数帯域の送信信号と前記第２の周波数帯域の送信信号を出力するように構成された無線処理部と、
前記無線処理部から受けた下りの信号および前記無線処理部へ出力する上りの信号に対してベースバンド処理を実行するベースバンド処理部と、
第１のマルチプレクサと、
前記無線処理部から前記第２の周波数帯域の送信信号を受けて、前記第２のアンテナへ出力するように構成されるとともに、前記第２のアンテナからの信号を受けて、前記第３の周波数帯域の受信信号と前記第４の周波数帯域の受信信号とを前記無線処理部へ出力するように構成された第２のマルチプレクサと、
フィルタと、
前記第１のアンテナと前記第１のマルチプレクサとを接続する第１の状態と、前記第１のアンテナと前記フィルタとを接続する第２の状態との切替えが可能に構成されたスイッチ回路とを備え、
前記第１のマルチプレクサは、前記スイッチ回路が前記第１の状態のときに、前記無線処理部から前記第１の周波数帯域の送信信号を受けて、前記第１のアンテナへ出力するように構成されるとともに、前記第１のアンテナからの信号を受けて、前記第３の周波数帯域の受信信号を前記無線処理部へ出力するように構成され、
前記フィルタは、前記スイッチ回路が前記第２の状態のときに、前記第１のアンテナからの信号を受けて、前記第４の周波数帯域の受信信号を前記無線処理部へ出力するように構成され、
前記無線処理部は、前記スイッチ回路が前記第１の状態のときに、前記第１のマルチプレクサから出力される前記第３の周波数帯域の受信信号と、前記第２のマルチプレクサから出力される前記第３の周波数帯域の受信信号とをそれぞれベースバンド信号に周波数変換して第１の信号および第２の信号を生成し、前記第２のマルチプレクサから出力される前記第４の周波数帯域の受信信号をベースバンド信号に周波数変換して第３の信号を生成するように構成され、
前記ベースバンド処理部は、前記スイッチ回路が前記第１の状態のときに、前記第１の信号と前記第２の信号とをダイバーシティ受信処理することによって得られる信号と、前記第３の信号とからなる２系統の下りのベースバンド信号を得るように構成され、
前記無線処理部は、前記スイッチ回路が前記第２の状態のときに、前記第２のマルチプレクサから出力される前記第４の周波数帯域の受信信号と、前記フィルタから出力される前記第４の周波数帯域の受信信号とをそれぞれベースバンド信号に周波数変換して第４の信号および第５の信号を生成し、前記第２のマルチプレクサから出力される前記第３の周波数帯域の受信信号をベースバンド信号に周波数変換して第６の信号を生成し、
前記ベースバンド処理部は、前記スイッチ回路が前記第２の状態のときに、前記第４の信号と前記第５の信号とをダイバーシティ受信処理することによって得られる信号と、前記第６の信号とからなる２系統の下りのベースバンド信号を得るように構成される、無線端末。
【請求項４】
前記第１のマルチプレクサは、前記スイッチ回路と接続される第１の端子と、
前記第１の周波数帯域の送信信号を受ける第２の端子と、
前記第３の周波数帯域の受信信号を出力する第３の端子と、
前記第１の周波数帯域の通過特性を有し、前記第１の端子と、前記第２の端子の間に配置された送信フィルタと、
前記第３の周波数帯域の通過特性を有し、前記第１の端子と前記第３の端子との間に配置された受信フィルタとを含む、請求項３記載の無線端末。
【請求項５】
前記第２のマルチプレクサは、
前記第２のアンテナと接続される第１の端子と、
前記第２の周波数帯域の送信信号を受ける第２の端子と、
前記第３の周波数帯域の受信信号を出力する第３の端子と、
終端抵抗で終端される第４の端子と、
前記第４の周波数帯域の受信信号を出力する第５の端子と、
前記第１の端子と前記第２の端子との間に配置された第１の送信フィルタと、
前記第３の周波数帯域の通過特性を有し、前記第１の端子と前記第３の端子との間に配置された第１の受信フィルタと、
前記第１の端子と、前記第４の端子の間に配置された第２の送信フィルタと、
前記第４の周波数帯域の通過特性を有し、前記第１の端子と前記第５の端子との間に配置された第２の受信フィルタとを含む、請求項１〜４のいずれか１項に記載の無線端末。
【請求項６】
前記無線処理部は、
第１のベースバンド信号を周波数変換して前記１の周波数帯域の送信信号を出力するように構成されるとともに、前記第１のマルチプレクサから出力される前記第３の周波数帯域の受信信号と、前記第２のマルチプレクサから出力される前記第３の周波数帯域の受信信号とをそれぞれベースバンド信号に周波数変換するように構成された第１のＲＦトランシーバＩＣと、
第２のベースバンド信号を周波数変換して前記２の周波数帯域の送信信号を出力するように構成されるとともに、前記第１のマルチプレクサから出力される前記第４の周波数帯域の受信信号と、前記第２のマルチプレクサから出力される前記第４の周波数帯域の受信信号とをそれぞれベースバンド信号に周波数変換するように構成された第２のＲＦトランシーバＩＣとを含む、請求項１〜４のいずれか１項に記載の無線端末。
【請求項７】
前記第１の周波数帯域および前記第３の周波数帯域は、ＰＣＳ（Personal Communications Service）１９００であり、
前記第２の周波数帯域および前記第４の周波数帯域は、ＡＷＳ（Advanced Wireless Service）１７００である、請求項１〜４のいずれか１項に記載の無線端末。
【請求項８】
前記第１の周波数帯域および前記第３の周波数帯域は、ＩＭＴ（(International Mobile Telecommunication）２１００であり、
前記第２の周波数帯域および前記第４の周波数帯域は、ＤＣＳ（Digital Cellular Service）１８００である、請求項１〜４のいずれか１項に記載の無線端末。
【請求項９】
前記ベースバンド処理部は、データから第１系統の上りのベースバンド信号を生成し、かつ音声から第２系統の上りのベースバンド信号を生成して前記無線処理部へ出力するように構成され、前記無線処理部で得られた第１の下りのベースバンド信号からデータを生成し、第２の下りのベースバンド信号から音声を生成するように構成されるベースバンド処理部をさらに備える、請求項１〜４のいずれか１項に記載の無線端末。
【請求項１０】
送信データを分割して前記２系統の上りのベースバンド信号を生成して、前記無線処理部へ出力するように構成され、前記無線処理部において得られた前記２系統の下りのベースバンド信号を統合するように構成されるベースバンド処理部をさらに備える、請求項１〜４のいずれか１項に記載の無線端末。
【請求項１１】
第１の周波数帯域と第２の周波数帯域を用いた送信と、第３の周波数帯域と第４の周波数帯域を用いた受信とが可能な無線端末の無線通信方法であって、前記無線端末は、第１のアンテナと、第２のアンテナと、第３のアンテナと、無線処理部と、ベースバンド処理部と、第１のマルチプレクサと、第２のマルチプレクサと、フィルタとを備え、
前記無線通信方法は、
前記無線処理部が、２系統の上りのベースバンド信号を周波数変換して前記第１の周波数帯域の送信信号と前記第２の周波数帯域の送信信号を出力するステップと、
前記第１のマルチプレクサが、前記無線処理部から前記第１の周波数帯域の送信信号を受けて、前記第１のアンテナへ出力し、前記第２のマルチププレクサが、前記無線処理部から前記第２の周波数帯域の送信信号を受けて、前記第２のアンテナへ出力するステップと、
前記第１のマルチプレクサが、前記第１のアンテナからの信号を受けて、前記第３の周波数帯域の受信信号を前記無線処理部へ出力し、前記第２のマルチプレクサが、前記第２のアンテナからの信号を受けて、前記第３の周波数帯域の受信信号と前記第４の周波数帯域の受信信号とを前記無線処理部へ出力し、前記フィルタが、前記第３のアンテナからの信号を受けて、前記第４の周波数帯域の受信信号を前記無線処理部へ出力するステップと、
前記無線処理部が、前記第１のマルチプレクサから出力される前記第３の周波数帯域の受信信号と、前記第２のマルチプレクサから出力される前記第３の周波数帯域の受信信号とをそれぞれベースバンド信号に周波数変換して第１の信号および第２の信号を生成し、前記第２のマルチプレクサから出力される前記第４の周波数帯域の受信信号と、前記フィルタから出力される前記第４の周波数帯域の受信信号とをそれぞれベースバンド信号に周波数変換して第３の信号および第４の信号を生成するステップと、
前記ベースバンド処理部が、前記第１の信号と前記第２の信号とをダイバーシティ受信処理し、前記第３の信号と前記第４の信号とをダイバーシティ受信処理することによって、２系統の下りのベースバンド信号を得るステップとを備えた、無線通信方法。
【請求項１２】
第１の周波数帯域と第２の周波数帯域を用いた送信と、第３の周波数帯域と第４の周波数帯域を用いた受信とが可能な無線端末での無線通信方法であって、前記無線端末は、第１のアンテナと、第２のアンテナと、無線処理部と、ベースバンド処理部と、第１のマルチプレクサと、第２のマルチプレクサと、フィルタと、前記第１のアンテナと前記第１のマルチプレクサとを接続する第１の状態と前記第１のアンテナと前記フィルタとを接続する第２の状態との切替えが可能に構成されたスイッチ回路とを備え、
前記無線通信方法は、
前記スイッチ回路が、前記第１のアンテナと前記第１のマルチプレクサとを接続する第１の状態に設定されるステップと、
前記無線処理部が、２系統の上りのベースバンド信号を周波数変換して前記第１の周波数帯域の送信信号と前記第２の周波数帯域の送信信号を出力するステップと、
前記第１のマルチプレクサは、前記スイッチ回路が前記第１の状態のときに、前記無線処理部から前記第１の周波数帯域の送信信号を受けて、前記第１のアンテナへ出力し、前記第２のマルチプレクサが、前記無線処理部から前記第２の周波数帯域の送信信号を受けて、前記第２のアンテナへ出力するステップと、
前記第１のマルチプレクサが、前記スイッチ回路が前記第１の状態のときに、前記第１のアンテナからの信号を受けて、前記第３の周波数帯域の受信信号を前記無線処理部へ出力し、前記第２のマルチプレクサが、前記第２のアンテナからの信号を受けて、前記第３の周波数帯域の受信信号と前記第４の周波数帯域の受信信号とを前記無線処理部へ出力するステップと、
前記無線処理部が、前記スイッチ回路が前記第１の状態のときに、前記第１のマルチプレクサから出力される前記第３の周波数帯域の受信信号と、前記第２のマルチプレクサから出力される前記第３の周波数帯域の受信信号とをそれぞれベースバンド信号に周波数変換して第１の信号および第２の信号を生成し、前記第２のマルチプレクサから出力される前記第４の周波数帯域の受信信号をベースバンド信号に周波数変換して第３の信号を生成するステップと、
前記ベースバンド処理部が、前記スイッチ回路が前記第１の状態のときに、前記第１の信号と前記第２の信号とをダイバーシティ受信処理することによって得られる信号と、前記第３の信号とからなる２系統の下りのベースバンド信号を得るステップと、
前記スイッチ回路が、前記第１のアンテナと前記フィルタとを接続する第２の状態に設定されるステップと、
前記フィルタが、前記スイッチ回路が前記第２の状態のときに、前記第１のアンテナからの信号を受けて、前記第４の周波数帯域の受信信号を前記無線処理部へ出力するステップと、
前記無線処理部が、前記スイッチ回路が前記第２の状態のときに、前記第２のマルチプレクサから出力される前記第４の周波数帯域の受信信号と、前記フィルタから出力される前記第４の周波数帯域の受信信号とをそれぞれベースバンド信号に周波数変換して第４の信号および第５の信号を生成し、前記第２のマルチプレクサから出力される前記第３の周波数帯域の受信信号をベースバンド信号に周波数変換して第６の信号を生成するステップと、
前記ベースバンド処理部が、前記スイッチ回路が前記第２の状態のときに、前記第４の信号と前記第５の信号とをダイバーシティ受信処理することによって得られる信号と、前記第６の信号とからなる２系統の下りのベースバンド信号を得るステップとを備える、無線通信方法。
【発明の詳細な説明】
【技術分野】
【０００１】
本開示は、無線端末および無線通信方法に関する。
【背景技術】
【０００２】
従来から、複数の周波数帯を用いて信号を送受信する無線端末が知られている。たとえば、特許文献１には、上りリンク周波数帯と下りリンク周波数帯が互いに異なる２つの無線通信ネットワークに対応可能であり、且つ、複数の上りリンク変調送信信号を同時に送信し、複数の下り変調受信信号を同時に受信することが可能な無線端末が開示されている。
【先行技術文献】
【特許文献】
【０００３】
【特許文献１】特開２０１１−１１９９８１号公報
【発明の概要】
【発明が解決しようとする課題】
【０００４】
しかしながら、特許文献１には、複数の周波数帯を用いて信号を送受信する機能とダイバーシティ受信機能の両方を実行することができる無線端末が開示されていない。
【０００５】
それゆえに、本開示の目的は、複数の周波数帯を用いて信号を送受信する機能とダイバーシティ受信機能の両方を実行することができる無線端末および無線通信方法を提供することである。
【課題を解決するための手段】
【０００６】
一実施形態の無線端末は、第１の周波数帯域と第２の周波数帯域を用いた送信と、第３の周波数帯域と第４の周波数帯域を用いた受信とが可能な無線端末である。無線端末は、第１のアンテナと、第２のアンテナと、第３のアンテナと、２系統の上りのベースバンド信号を周波数変換して第１の周波数帯域の送信信号と第２の周波数帯域の送信信号を出力するように構成された無線処理部と、無線処理部から受けた下りの信号および無線処理部へ出力する上りの信号に対してベースバンド処理を実行するベースバンド処理部と、無線処理部から第１の周波数帯域の送信信号を受けて、第１のアンテナへ出力するように構成されるとともに、第１のアンテナからの信号を受けて、第３の周波数帯域の受信信号を無線処理部へ出力するように構成された第１のマルチプレクサと、無線処理部から第２の周波数帯域の送信信号を受けて、第２のアンテナへ出力するように構成されるとともに、第２のアンテナからの信号を受けて、第３の周波数帯域の受信信号と第４の周波数帯域の受信信号とを無線処理部へ出力するように構成された第２のマルチプレクサと、第３のアンテナからの信号を受けて、第４の周波数帯域の受信信号を無線処理部へ出力するように構成されたフィルタとを備える。無線処理部は、第１のマルチプレクサから出力される第３の周波数帯域の受信信号と、第２のマルチプレクサから出力される第３の周波数帯域の受信信号とをそれぞれベースバンド信号に周波数変換して第１の信号および第２の信号を生成し、第２のマルチプレクサから出力される第４の周波数帯域の受信信号と、フィルタから出力される第４の周波数帯域の受信信号とをそれぞれベースバンド信号に周波数変換して第３の信号および第４の信号を生成する。べースバンド処理部は、第１の信号と第２の信号とをダイバーシティ受信処理し、第３の信号と第４の信号とをダイバーシティ受信処理して、２系統の下りのベースバンド信号を得るように構成される。
【０００７】
他の実施形態の無線端末は、第１の周波数帯域と第２の周波数帯域を用いた送信と、第３の周波数帯域と第４の周波数帯域を用いた受信とが可能な無線端末である。無線端末は、第１のアンテナと、第２のアンテナと、２系統の上りのベースバンド信号を周波数変換して第１の周波数帯域の送信信号と第２の周波数帯域の送信信号を出力するように構成された無線処理部と、無線処理部から受けた下りの信号および無線処理部へ出力する上りの信号に対してベースバンド処理を実行するベースバンド処理部と、第１のマルチプレクサと、無線処理部から第２の周波数帯域の送信信号を受けて、第２のアンテナへ出力するように構成されるとともに、第２のアンテナからの信号を受けて、第３の周波数帯域の受信信号と第４の周波数帯域の受信信号とを無線処理部へ出力するように構成された第２のマルチプレクサと、フィルタと、第１のアンテナと第１のマルチプレクサとを接続する第１の状態と、第１のアンテナとフィルタとを接続する第２の状態との切替えが可能に構成されたスイッチ回路とを備える。第１のマルチプレクサは、スイッチ回路が第１の状態のときに、無線処理部から第１の周波数帯域の送信信号を受けて、第１のアンテナへ出力するように構成されるとともに、第１のアンテナからの信号を受けて、第３の周波数帯域の受信信号を無線処理部へ出力するように構成される。フィルタは、スイッチ回路が第２の状態のときに、第１のアンテナからの信号を受けて、第４の周波数帯域の受信信号を無線処理部へ出力するように構成される。
【０００８】
無線処理部は、スイッチ回路が第１の状態のときに、第１のマルチプレクサから出力される第３の周波数帯域の受信信号と、第２のマルチプレクサから出力される第３の周波数帯域の受信信号とをそれぞれベースバンド信号に周波数変換して第１の信号および第２の信号を生成し、第２のマルチプレクサから出力される第４の周波数帯域の受信信号をベースバンド信号に周波数変換して第３の信号を生成する。ベースバンド処理部は、スイッチ回路が第１の状態のときに、第１の信号と第２の信号とをダイバーシティ受信処理することによって得られる信号と、第３の信号とからなる２系統の下りのベースバンド信号を得るように構成される。無線処理部は、スイッチ回路が第２の状態のときに、第２のマルチプレクサから出力される第４の周波数帯域の受信信号と、フィルタから出力される第４の周波数帯域の受信信号とをそれぞれベースバンド信号に周波数変換して第４の信号および第５の信号を生成し、第２のマルチプレクサから出力される第３の周波数帯域の受信信号をベースバンド信号に周波数変換して第６の信号を生成する。ベースバンド処理部は、スイッチ回路が第２の状態のときに、第４の信号と第５の信号とをダイバーシティ受信処理することによって得られる信号と、第６の信号とからなる２系統の下りのベースバンド信号を得るように構成される。
【発明の効果】
【０００９】
一実施形態の無線端末によれば、複数の周波数帯を用いて信号を送受信する機能ダイバーシティ受信機能の両方を実行することができる。
【図面の簡単な説明】
【００１０】
【図１】実施の形態の無線端末の構成を表わす図である。
【図２】第１の実施形態の無線端末において送受信される無線信号の周波数帯域を表わす図である。
【図３】第１の実施形態のアンテナ部および無線処理部の構成を表わす図である。
【図４】第１のＲＦトランシーバＩＣ（Integrated Circuit）および第２のＲＦトランシーバＩＣの構成を表わす図である。
【図５】Ｂ２−デュプレクサの構成を表わす図である。
【図６】ＢＣ１−デュプレクサの構成を表わす図である。
【図７】第２の実施形態のアンテナ部および無線処理部の構成を表わす図である。
【図８】クワッドプレクサの構成を表わす図である。
【図９】第３の実施形態のアンテナ部および無線処理部の構成を表わす図である。
【図１０】第４の実施形態のアンテナ部および無線処理部の構成を表わす図である。
【図１１】第５の実施形態の無線端末において送受信される無線信号の周波数帯域を表わす図である。
【図１２】第５の実施形態のアンテナ部および無線処理部の構成を表わす図である。
【図１３】第６の実施形態のアンテナ部および無線処理部の構成を表わす図である。
【図１４】第７の実施形態の無線端末において送受信される無線信号の周波数帯域を表わす図である。
【図１５】第７の実施形態のアンテナ部および無線処理部の構成を表わす図である。
【図１６】第８の実施形態のアンテナ部および無線処理部の構成を表わす図である。
【図１７】第９の実施形態の無線端末において送受信される無線信号の周波数帯域を表わす図である。
【図１８】第９の実施形態のアンテナ部および無線処理部の構成を表わす図である。
【図１９】第１０の実施形態のアンテナ部および無線処理部の構成を表わす図である。
【図２０】第１１の実施形態の無線端末において送受信される無線信号の周波数帯域を表わす図である。
【図２１】第１１の実施形態のアンテナ部および無線処理部の構成を表わす図である。
【発明を実施するための形態】
【００１１】
以下、実施の形態について図面を用いて説明する。
本開示の一実施形態の無線端末は、送信時には、ＣＤＭＡ（Code Division Multiple Access）方式の音声を１つの周波数帯域に配置して送信し、ＬＴＥ（Long Term Evolution）方式のデータを別の周波数帯域に配置して送信することができる。無線端末は、受信時には、１つの周波数帯域に配置されたＣＤＭＡ方式の音声を受信し、別の周波数帯域に配置されたＬＴＥ方式のデータを受信することができる。無線端末は、受信時には、ＣＤＭＡ方式の音声およびＬＴＥ方式のデータのそれぞれを複数のアンテナで受信するダイバーシティ受信技術を用いることができる。本開示では、無線端末は、ダイバーシティ受信として、最大比合成ダイバーシティ受信またはＭＩＭＯ受信を用いる。
【００１２】
無線端末は、ＭＩＭＯ受信では、無線基地局の複数のアンテナから送信される同一の周波数帯域（帯域Ａとする）の空間多重化または時空間符号化された信号を複数のアンテナで受信し、受信した信号を分離または復号化して、帯域Ａのデータを得ることができる。
【００１３】
本開示の他の実施形態の無線端末は、送信時には、キャリアアグリゲーション技術を用いてデータを送信し、受信時には、キャリアアグリゲーション技術とダイバーシティ受信技術を用いてデータを受信することができる。
【００１４】
無線端末は、キャリアアグリゲーション送信では、アップリンクデータを複数の異なる周波数帯域に分割して配置して、複数の異なる周波数帯域の信号を同時に送信することができる。無線端末は、キャリアアグリゲーション受信では、複数の異なる周波数帯域の信号を同時に受信し、受信した信号を統合して、ダウンリンクデータを得ることができる。
【００１５】
［第１の実施形態］
図１は、実施の形態の無線端末１の構成を表わす図である。
【００１６】
図１を参照して、無線端末１は、アンテナ部２と、無線処理部３と、制御部４４０と、スピーカ５０と、マイク５２と、ディスプレイ５４と、タッチパネル５６と、カメラ５８とを備える。
【００１７】
無線処理部３は、アンテナ部２を通じて無線基地局と通信することができる。
スピーカ５０は、制御部４４０から出力される通話相手の音声などを出力することができる。
【００１８】
マイク５２は、無線端末１のユーザの音声などを受けて、制御部４４０へ出力することができる。
【００１９】
ディスプレイ５４は、制御部４４０から出力される画面を表示することができる。
タッチパネル５６は、ユーザからの入力を受け付けることができる。
【００２０】
カメラ５８は、被写体を撮影することができる。
図２は、第１の実施形態の無線端末１において送受信される無線信号の周波数帯域を表わす図である。
【００２１】
送信信号の周波数帯域は、Ｂ４＿Ｔｘ（１７１０〜１７５５ＭＨｚ）と、ＢＣ１＿Ｔｘ（１８５０〜１９１０ＭＨｚ）である。受信信号の周波数帯域は、ＢＣ１＿Ｒｘ（１９３０〜１９９０ＭＨｚ）と、Ｂ４＿Ｒｘ（２１１０〜２１５５ＭＨｚ）である。無線端末１は、ダイバーシティ受信するために、受信時には、１つのアンテナを通じてＢＣ１＿Ｒｘの帯域の信号を受信し（ＢＣ１＿Ｒｘ０と記す）、別のアンテナを通じてＢＣ１＿Ｒｘの帯域の信号を受信する（ＢＣ１＿Ｒｘ１と記す）ことができるとともに、１つのアンテナを通じてＢ４＿Ｒｘの帯域の信号を受信し（Ｂ４＿Ｒｘ０と記す）、別のアンテナを通じてＢ４＿Ｒｘの帯域の信号を受信する（Ｂ４＿Ｒｘ１と記す）ことができる。
【００２２】
ＢＣ１＿ＴｘおよびＢＣ１＿Ｒｘは、ＣＤＭＡにおいて使用されるときのバンド名であり、一般的にＰＣＳ１９００と称される。Ｂ４＿ＴｘおよびＢ４＿Ｒｘは、ＬＴＥにおいて使用されるときのバンド名であり、ＡＷＳ（Advanced Wireless Service）１７００と称される。
【００２３】
図３は、第１の実施形態のアンテナ部２および無線処理部３の構成を表わす図である。
無線処理部３は、分波部４と、ＲＦ処理部５と、ベースバンドＩＣ６とを備える。
【００２４】
ベースバンドＩＣ６は、第１のＲＦトランシーバＩＣ２１へ出力するデータおよび第１のＲＦトランシーバＩＣ２１から出力されるデータに対して、ＬＴＥ用のベースバンド処理を実行するとともに、第２のＲＦトランシーバＩＣ２２へ出力する音声データおよび第１のＲＦトランシーバＩＣ２１から出力される音声データに対してＣＤＭＡ用のベースバンド処理を実行する。
【００２５】
具体的には、ベースバンドＩＣ６は、ＬＴＥ用のベースバンド処理として、ダウンリンクデータに対して、チャネル復号化、離散フーリエ変換（ＤＦＴ）、デマッピング、フーリエ変換（ＦＦＴ）、データ復調等の処理を行ない、アップリンクデータに対して、チャネル符号化、データ変調、マッピング、逆フーリエ変換（ＩＦＦＴ）等の処理を行う。
【００２６】
ベースバンドＩＣ６は、ＣＤＭＡ用のベースバンド処理として、ダウンリンクデータ（音声）に対して、同期処理、逆拡散、およびデータ復調などの処理を行ない、アップリンクデータ（音声）に対して、誤り訂正符号化、データ変調、および拡散変調などの処理を行なう。
【００２７】
ベースバンドＩＣ６は、同一の周波数帯域であり、かつ２つのアンテナで受信されたダウンリンクデータに対してダイバーシティ受信処理を実行する。ベースバンドＩＣ６は、ＬＴＥ方式に対応する系統の信号に関しては、ダイバーシティ受信処理のうちのＭＩＭＯ受信処理を実行する。ＭＩＭＯ受信処理において、ベースバンドＩＣ６は、無線基地局が空間多重化した信号を送信する場合には、空間多重化された信号を分離する処理を行なうことができ、無線基地局が時空間符号化した信号を送信する場合には、時間符号化された信号を復号化する処理を行なうことができる。ベースバンドＩＣ６は、ＣＤＭＡ方式に対応する系統の信号に関しては、ダイバーシティ受信処理のうちの最大比合成タイバーシティ処理を実行する。
【００２８】
アンテナ部２は、第１のアンテナＡＮＴ１と、第２のアンテナＡＮＴ２と、第３のアンテナＡＮＴ３と、第４のアンテナＡＮＴ４とを備える。
【００２９】
第１のアンテナＡＮＴ１は、１７１０ＭＨｚ〜２１５５ＭＨｚにおいて、所定値以下のＶＳＷＲ（Voltage Standing Wave Ratio）を有する。第１のアンテナＡＮＴ１は、Ｂ４＿Ｔｘの信号を送信することができるとともに、Ｂ４＿Ｒｘ０の信号を受信することができる。第２のアンテナＡＮＴ２は、２１１０ＭＨｚ〜２１５５ＭＨｚにおいて、所定値以下のＶＳＷＲを有する。第２のアンテナＡＮＴ２は、Ｂ４＿Ｒｘ１の信号を受信することができる。第３のアンテナＡＮＴ３は、１８５０ＭＨｚ〜１９９０Ｈｚにおいて、所定値以下のＶＳＷＲを有する。第３のアンテナＡＮＴ３は、ＢＣ１＿Ｔｘの信号を送信することができるとともに、ＢＣ１＿Ｒｘ０の信号を受信することができる。第４のアンテナＡＮＴ４は、１９３０ＭＨｚ〜１９９０ＭＨｚにおいて、所定値以下のＶＳＷＲを有する。第４のアンテナＡＮＴ４は、ＢＣ１＿Ｒｘ１の信号を受信することができる。
【００３０】
ＲＦ処理部５は、第１のＲＦトランシーバＩＣ２１と、第２のＲＦトランシーバＩＣ２２とを備える。
【００３１】
分波部４は、Ｂ４−デュプレクサ１５と、電力増幅器（ＰＡ）１１と、Ｂ４＿Ｒｘフィルタ１３と、ＢＣ１−デュプレクサ１６と、電力増幅器（ＰＡ）１２と、ＢＣ１＿Ｒｘフィルタ１４とを備える。
【００３２】
第１のＲＦトランシーバＩＣ２１は、ベースバンド信号を周波数変換してＢ４＿Ｔｘの帯域の信号を出力することができる。第１のＲＦトランシーバＩＣ２１は、Ｂ４＿Ｒｘの帯域の２つの信号（Ｂ２＿Ｒｘ０とＢ２＿Ｒｘ１）を周波数変換してベースバンド信号に変換してベースバンドＩＣ６に出力することができる。
【００３３】
第２のＲＦトランシーバＩＣ２２は、ベースバンド信号を周波数変換してＢＣ１＿Ｔｘの帯域の信号を出力することができる。第２のＲＦトランシーバＩＣ２２は、ＢＣ１＿Ｒｘの帯域の２つの信号（ＢＣ１＿Ｒｘ０とＢＣ１＿Ｒｘ１）を周波数変換してベースバンド信号に変換してベースバンドＩＣ６に出力することができる。
【００３４】
図４は、第１のＲＦトランシーバＩＣ２１および第２のＲＦトランシーバＩＣ２２の構成を表わす図である。
【００３５】
図４を参照して、第１のＲＦトランシーバＩＣ２１は、送信処理部９２と、第１の受信処理部９３と、第２の受信処理部９４とを備える。
【００３６】
端子Ｔ４は、ベースバンドＩＣ６からのデジタルのベースバンド信号を受けることができる。送信処理部９２は、端子Ｔ４で受けたベースバンド信号をアナログ信号に変換した後、Ｂ４＿Ｔｘの帯域の信号に周波数変換して、端子Ｔ１から電力増幅器１１へ出力することができる。
【００３７】
端子Ｔ２は、Ｂ４−デュプレクサ１５からＢ４＿Ｒｘの帯域の信号（Ｂ４＿Ｒｘ０）を受けることができる。第１の受信処理部９３は、端子Ｔ２で受けたＢ４＿Ｒｘ０の信号を増幅した後、ベースバンド信号に周波数変換し、さらにデジタル信号に変換して端子Ｔ５＿０から出力することができる。
【００３８】
端子Ｔ３は、Ｂ４＿Ｒｘフィルタ１３からＢ４＿Ｒｘの帯域の信号（Ｂ４＿Ｒｘ１）を受けることができる。第２の受信処理部９４は、端子Ｔ３で受けたＢ４＿Ｒｘ１の信号を増幅した後、ベースバンド信号に周波数変換し、さらにデジタル信号に変換して端子Ｔ５＿１から出力することができる。
【００３９】
第２のＲＦトランシーバＩＣ２２は、送信処理部９６と、第１の受信処理部９７と、第２の受信処理部９８とを備える。
【００４０】
端子Ｔ９は、ベースバンドＩＣ６からのデジタルのベースバンド信号を受けることができる。送信処理部９６は、端子Ｔ９で受けたベースバンド信号をアナログ信号に変換した後、ＢＣ１＿Ｔｘの帯域の信号に周波数変換して、端子Ｔ６から電力増幅器１２へ出力することができる。
【００４１】
端子Ｔ７は、ＢＣ１−デュプレクサ１６からＢＣ１＿Ｒｘの帯域の信号（ＢＣ１＿Ｒｘ０）を受けることができる。第１の受信処理部９７は、端子Ｔ６で受けたＢＣ１＿Ｒｘ０の信号を増幅した後、ベースバンド信号に周波数変換し、さらにデジタル信号に変換して端子Ｔ１０＿０から出力することができる。
【００４２】
端子Ｔ８は、ＢＣ１＿Ｒｘフィルタ１４からＢＣ１＿Ｒｘ１の帯域の信号（ＢＣ１＿Ｒｘ１）を受けることができる。第２の受信処理部９８は、端子Ｔ８で受けたＢＣ１＿Ｒｘ１の信号を増幅した後、ベースバンド信号に周波数変換し、さらにデジタル信号に変換して端子Ｔ１０＿１から出力することができる。
【００４３】
電力増幅器１１は、第１のＲＦトランシーバＩＣ２１から出力されるＢ４＿Ｔｘの信号の電力を増幅して、Ｂ４−デュプレクサ１５へ出力することができる。
【００４４】
Ｂ４−デュプレクサ１５は、第１のアンテナＡＮＴ１から出力される信号からＢ４＿Ｒｘの帯域成分を抽出して、第１のＲＦトランシーバＩＣ２１へ出力する。Ｂ４−デュプレクサ１５は、Ｂ４＿Ｔｘの信号を第１のアンテナＡＮＴ１へ出力することができる。
【００４５】
Ｂ４＿Ｒｘフィルタ１３は、第２のアンテナＡＮＴ２から出力される信号のＢ４＿Ｒｘの帯域の成分を通過させて、Ｂ４＿Ｒｘ１の信号を第１のＲＦトランシーバＩＣ２１へ出力することができる。
【００４６】
電力増幅器１２は、第２のＲＦトランシーバＩＣ２１から出力されるＢＣ１＿Ｔｘの信号の電力を増幅して、ＢＣ１−デュプレクサ１６へ出力することができる。
【００４７】
ＢＣ１−デュプレクサ１６は、第３のアンテナＡＮＴ３から出力される信号からＢＣ１＿Ｒｘの帯域成分を抽出して、第２のＲＦトランシーバＩＣ２２へ出力する。ＢＣ１−デュプレクサ１６は、ＢＣ１＿Ｔｘの信号を第３のアンテナＡＮＴ３へ出力することができる。
【００４８】
ＢＣ１＿Ｒｘフィルタ１４は、第４のアンテナＡＮＴ４から出力される信号のＢＣ１＿Ｒｘの帯域の成分を通過させて、ＢＣ１＿Ｒｘ１の信号を第２のＲＦトランシーバＩＣ２２へ出力することができる。
【００４９】
図５は、Ｂ４−デュプレクサ１５の構成を表わす図である。
Ｂ４−デュプレクサ１５は、マルチプレクサの１種であり、無線処理部３から特定の帯域の送信信号を受けて、第１のアンテナＡＮＴ１へ出力すると同時に、第１のアンテナＡＮＴ１から受信した信号に含まれる特定の帯域成分を無線処理部３へ出力することができる。
【００５０】
Ｂ４−デュプレクサ１５は、端子Ｔ１１，Ｔ１２，Ｔ１３と、送信フィルタ７２と、受信フィルタ７３とを備える。
【００５１】
送信フィルタ７２は、Ｂ４＿Ｔｘの帯域の通過特性を有する。受信フィルタ７３は、Ｂ４＿Ｒｘの通過特性を有する。したがって、Ｂ４＿Ｔｘの帯域の送信信号の受信経路への回り込みに対してアイソレーションが確保できる。
【００５２】
端子Ｔ１２は、電力増幅器１１から送られるＢ４＿Ｔｘの信号を受けることができる。
送信フィルタ７２は、端子Ｔ１２で受けたＢ４＿Ｔｘの信号からＢ４＿Ｔｘ以外の帯域成分（ノイズ）を除去して、端子Ｔ１１へ出力することができる。
【００５３】
端子Ｔ１１は、第１のアンテナＡＮＴ１から受信信号を受けて、受信フィルタ７３へ出力することができる。第１のアンテナＡＮＴ１からの受信信号は、送信フィルタ７２の方向へも流れるが、送信信号の電力は、受信信号の電力よりも高いため、第１のアンテナＡＮＴ１からの受信信号は、送信信号には影響を与えない。端子Ｔ１１は、送信フィルタ７２からＢ４＿Ｔｘの信号を受けて、第１のアンテナＡＮＴ１へ出力することができる。
【００５４】
受信フィルタ７３は、端子Ｔ１１から出力される信号からＢ４＿Ｒｘの帯域の成分を通過させて、Ｂ４＿Ｒｘ０の信号を端子Ｔ１３から第１のＲＦトランシーバＩＣ２１へ出力することができる。
【００５５】
図６は、ＢＣ１−デュプレクサ１６の構成を表わす図である。
ＢＣ１−デュプレクサ１６は、マルチプレクサの１種であり、無線処理部３から特定の帯域の送信信号を受けて、第３のアンテナＡＮＴ３へ出力すると同時に、第３のアンテナＡＮＴ３から受信した信号に含まれる特定の帯域成分を無線処理部３へ出力することができる。
【００５６】
ＢＣ１−デュプレクサ１５は、端子Ｔ１４，Ｔ１５，Ｔ１６と、送信フィルタ７５と、受信フィルタ７６とを備える。
【００５７】
送信フィルタ７５は、ＢＣ１＿Ｔｘの帯域の通過特性を有する。受信フィルタ７６は、ＢＣ１＿Ｒｘの帯域の通過特性を有する。したがって、ＢＣ１＿Ｔｘの帯域の送信信号の受信経路への回り込みに対してアイソレーションが確保できる。
【００５８】
端子Ｔ１５は、電力増幅器１２から送られるＢＣ１＿Ｔｘの信号を受けることができる。
【００５９】
送信フィルタ７５は、端子Ｔ１５で受けたＢＣ１＿Ｔｘの信号からＢＣ１＿Ｔｘ以外の帯域成分（ノイズ）を除去して、端子Ｔ１４へ出力することができる。
【００６０】
端子Ｔ１４は、第３のアンテナＡＮＴ３から受信信号を受けて、受信フィルタ７６へ出力することができる。第３のアンテナＡＮＴ３からの受信信号は、送信フィルタ７５の方向へも流れるが、送信信号の電力は、受信信号の電力よりも高いため、第３のアンテナＡＮＴ３からの受信信号は、送信信号には影響を与えない。端子Ｔ１４は、送信フィルタ７５からＢＣ１＿Ｔｘの信号を受けて、第３のアンテナＡＮＴ３へ出力することができる。
【００６１】
受信フィルタ７６は、端子Ｔ１４から出力される信号からＢＣ１＿Ｒｘの帯域の成分を通過させて、ＢＣ１＿Ｒｘ０の信号を端子Ｔ１６から第２のＲＦトランシーバＩＣ２２へ出力することができる。
【００６２】
次に、送信時の処理の手順を受信時の処理の手順について説明する。
（１）ＬＴＥ送信処理とＣＤＭＡ送信処理
ベースバンドＩＣ６は、アップリンクのデータからＬＴＥ規格に従ってベースバンド信号ＴｘＡを生成し、アップリンクの音声データからＣＤＭＡ規格に従ってベースバンド信号ＴｘＢを生成し、ベースバンド信号ＴｘＡを第１のＲＦトランシーバＩＣ２１の端子Ｔ４へ出力し、ベースバンド信号ＴｘＢを第２のＲＦトランシーバＩＣ２２の端子Ｔ９へ出力することができる。
【００６３】
第１のＲＦトランシーバＩＣ２１は、ベースバンド信号ＴｘＡを受けて、Ｂ４＿Ｔｘの帯域の信号に周波数変換することができる。第１のＲＦトランシーバＩＣ２１は、Ｂ４＿Ｔｘの帯域の信号を電力増幅器１１へ出力することができる。
【００６４】
電力増幅器１１は、Ｂ４＿Ｔｘの帯域の信号の電力を増幅してＢ４−デュプレクサ１５へ出力することができる。Ｂ４−デュプレクサ１５は、Ｂ４＿Ｔｘの帯域の信号を受信経路への回り込みを防止しつつ、第１のアンテナＡＮＴ１へ出力することができる。Ｂ４＿Ｔｘの帯域の信号の送信が可能な第１のアンテナＡＮＴ１は、Ｂ４＿Ｔｘの帯域の信号を無線基地局へ送信することができる。
【００６５】
第２のＲＦトランシーバＩＣ２２は、ベースバンド信号ＴｘＢを受けて、ＢＣ１＿Ｔｘの帯域の信号に周波数変換することができる。第２のＲＦトランシーバＩＣ２２は、ＢＣ１＿Ｔｘの帯域の信号を電力増幅器１２へ出力することができる。
【００６６】
電力増幅器１２は、ＢＣ１＿Ｔｘの帯域の信号の電力を増幅してＢＣ１−デュプレクサ１６へ出力することができる。ＢＣ１−デュプレクサ１６は、ＢＣ１＿Ｔｘの帯域の信号を受信経路への回り込みを防止しつつ、第３のアンテナＡＮＴ３へ出力することができる。ＢＣ１＿Ｔｘの帯域の信号の送信が可能な第３のアンテナＡＮＴ３は、ＢＣ１＿Ｔｘの帯域の信号を無線基地局へ送信することができる。
【００６７】
以上の動作によって、ＣＤＭＡ方式の音声送信とＬＴＥ方式のデータ送信との同時実行が可能となる。
【００６８】
（２）ＬＴＥのＭＩＭＯ受信処理とＣＤＭＡの最大比合成ダイバーシティ受信処理
Ｂ４＿Ｒｘの帯域の信号の受信が可能な第１のアンテナＡＮＴ１は、無線基地局からの信号を受信して、Ｂ４−デュプレクサ１５へ出力することができる。Ｂ４−デュプレクサ１５は、Ｂ４＿Ｒｘの帯域の信号（Ｂ４＿Ｒｘ０）を通過させて、第１のＲＦトランシーバＩＣ２１へ出力することができる。
【００６９】
Ｂ４＿Ｒｘの帯域の信号の受信が可能な第２のアンテナＡＮＴ２は、無線基地局からの信号を受信して、Ｂ４＿Ｒｘフィルタ１３へ出力することができる。Ｂ４＿Ｒｘフィルタ１３は、Ｂ４＿Ｒｘの帯域の信号（Ｂ４＿Ｒｘ１）を通過させて、第１のＲＦトランシーバＩＣ２１へ出力することができる。
【００７０】
第１のＲＦトランシーバＩＣ２１は、Ｂ４−デュプレクサ１５から出力されたＢ４＿Ｒｘの帯域の信号（Ｂ４＿Ｒｘ０）を周波数変換して得られるベースバンド信号ＲｘＡ０を端子Ｔ５＿０からベースバンドＩＣ６へ出力することができる。第１のＲＦトランシーバＩＣ２１は、Ｂ４＿Ｒｘフィルタ１３から出力されたＢ４＿Ｒｘの帯域の信号（Ｂ４＿Ｒｘ１）を周波数変換して得られるベースバンド信号ＲｘＡ１を端子Ｔ５＿１からベースバンドＩＣ６へ出力することができる。
【００７１】
ＢＣ１＿Ｒｘの帯域の信号の受信が可能な第３のアンテナＡＮＴ３は、無線基地局からの信号を受信して、ＢＣ１−デュプレクサ１６へ出力することができる。ＢＣ１−デュプレクサ１６は、ＢＣ１＿Ｒｘの帯域の信号（ＢＣ１＿Ｒｘ０）を通過させて、第２のＲＦトランシーバＩＣ２２へ出力することができる。
【００７２】
ＢＣ１＿Ｒｘの帯域の信号の受信が可能な第４のアンテナＡＮＴ４は、無線基地局からの信号を受信して、ＢＣ１＿Ｒｘフィルタ１４へ出力することができる。ＢＣ１＿Ｒｘフィルタ１４は、ＢＣ１＿Ｒｘの帯域の信号（ＢＣ１＿Ｒｘ１）を通過させて、第２のＲＦトランシーバＩＣ２２へ出力することができる。
【００７３】
第２のＲＦトランシーバＩＣ２２は、ＢＣ１−デュプレクサ１６から出力されたＢＣ１＿Ｒｘの帯域の信号（ＢＣ１＿Ｒｘ０）を周波数変換して得られるベースバンド信号ＲｘＢ０を端子Ｔ１０＿０からベースバンドＩＣ６へ出力することができる。第２のＲＦトランシーバＩＣ２２は、ＢＣ１＿Ｒｘフィルタ１４から出力されたＢＣ１＿Ｒｘの帯域の信号（ＢＣ１＿Ｒｘ１）を周波数変換して得られるベースバンド信号ＲｘＢ１を端子Ｔ１０＿１からベースバンドＩＣ６へ出力することができる。
【００７４】
ベースバンドＩＣ６は、第１のＲＦトランシーバＩＣ２１から送られてくるベースバンド信号ＲｘＡ０と、ベースバンド信号ＲｘＡ１とをＭＩＭＯ受信処理して、信号ＲｘＡを生成することができる。ベースバンドＩＣ６は、信号ＲｘＡからＬＴＥ規格に従ってデータを生成することができる。ベースバンドＩＣ６は、第２のＲＦトランシーバＩＣ２２から送られてくるベースバンド信号ＲｘＢ０と、ベースバンド信号ＲｘＢ１とを最大比合成ダイバーシティ受信処理して、信号ＲｘＢを生成することができる。ベースバンドＩＣ６は、信号ＲｘＢからＣＤＭＡ規格に従って、音声を生成することができる。
【００７５】
以上の動作によって、ＣＤＭＡ方式の音声の最大比合成ダイバーシティ受信とＬＴＥ方式のデータのＭＩＭＯ受信との同時実行が可能となる。
【００７６】
上述の（１）の送信処理と（２）の受信処理は、同時に実行することができる。
以上のように、第１の実施形態の無線端末は、互いに異なる周波数帯域で音声とデータとを送信し、帯域Ａの２つのデータを異なるアンテナで受信するとともに、帯域Ｂの２つの音声を異なるアンテナで受信する。これによって、無線端末は、ＣＤＭＡ方式とＬＴＥ方式の同時通信機能とダイバーシティ受信機能の両方を実行することができる。
【００７７】
[第２の実施形態]
第２の実施形態の無線端末１において送受信される無線信号の周波数帯域は、図２に示す第１の実施形態と同様である。
【００７８】
図７は、第２の実施形態のアンテナ部２および無線処理部３の構成を表わす図である。
図７の第２の実施形態の構成が、図３の第１の実施形態の構成と相違する点は、以下である。
【００７９】
第２の実施形態のアンテナ部２は、第１のアンテナＡＮＴ１と、第２のアンテナＡＮＴ２と、第３のアンテナＡＮＴ３とを備える。
【００８０】
第１のアンテナＡＮＴ１は、１７１０ＭＨｚ〜２１５５ＭＨｚにおいて、所定値以下のＶＳＷＲを有する。第１のアンテナＡＮＴ１は、Ｂ４＿Ｔｘの信号を送信することができるとともに、Ｂ４＿Ｒｘ０の信号を受信することができる。第２のアンテナＡＮＴ２は、１８５０ＭＨｚ〜２１５５ＭＨｚにおいて、所定値以下のＶＳＷＲを有する。第２のアンテナＡＮＴ２は、Ｂ４＿Ｒｘ１およびＢＣ１＿Ｒｘ０の信号を受信することができるとともに、ＢＣ１＿Ｔｘの信号を送信することができる。第３のアンテナＡＮＴ３は、１９３０ＭＨｚ〜１９９０ＭＨｚにおいて、所定値以下のＶＳＷＲを有する。第３のアンテナＡＮＴ３は、ＢＣ１＿Ｒｘ１の信号を受信することができる。
【００８１】
第２の実施形態の分波部４は、第１の実施形態の分波部４に含まれるＢ４＿Ｒｘフィルタ１３およびＢＣ１＿デュプレクサ１６の代わりに、クワッドプレクサ３１を備える。第２の実施形態のデュプレクサ１５およびフィルタ１４は、第１の実施形態のＢ４−デュプレクサ１５およびＢＣ１＿Ｒｘフィルタ１４と同様である。
【００８２】
図８は、クワッドプレクサ３１の構成を表わす図である。
クワッドプレクサ３１は、マルチプレクサの１種であり、無線処理部３から特定の帯域の送信信号を受けて、第２のアンテナＡＮＴ２へ出力すると同時に、第２のアンテナＡＮＴ２から受信した信号に含まれる第１の特定の帯域成分および第２の特定の帯域成分を無線処理部３へ出力することができる。
【００８３】
クワッドプレクサ３１は、端子Ｔ３１〜Ｔ３５と、第１の送信フィルタ４２と、第１の受信フィルタ４３と、第２の送信フィルタ４４と、第２の受信フィルタ４５とを備える。
【００８４】
第１の送信フィルタ４２は、ＢＣ１＿Ｔｘの帯域の通過特性を有する。第１の受信フィルタ４３は、ＢＣ１＿Ｒｘの通過特性を有する。
【００８５】
第２の送信フィルタ４４は、所定の帯域の通過特性を有する。第２の受信フィルタ４５は、Ｂ４＿Ｒｘの通過特性を有する。したがって、Ｂ２＿Ｔｘの帯域の送信信号の受信経路への回り込みに対してアイソレーションが確保できる。
【００８６】
端子Ｔ３２は、電力増幅器１１から送られるＢＣ１＿Ｔｘの信号を受けることができる。第１の送信フィルタ４２は、端子Ｔ３２で受けたＢＣ１＿Ｔｘの信号からＢＣ１＿Ｔｘ以外の帯域成分（ノイズ）を除去して、端子Ｔ３１へ出力することができる。
【００８７】
端子Ｔ３４は、終端抵抗４７で終端される。端子Ｔ３４に接続された第２の送信フィルタ４４からは信号が出力されない。
【００８８】
端子Ｔ３１は、第２のアンテナＡＮＴ２から受信信号を受けて、第１の受信フィルタ４３および第２の受信フィルタ４５へ出力することができる。第２のアンテナＡＮＴ２からの受信信号は、第１の送信フィルタ４２および第２の送信フィルタ４４の方向へも流れるが、送信信号の電力は、受信信号の電力よりも高いため、第２のアンテナＡＮＴ２からの受信信号は、送信信号には影響を与えない。端子Ｔ３１は、第１の送信フィルタ４２からＢＣ１＿Ｔｘの信号を受けて、第２のアンテナＡＮＴ２へ出力することができる。
【００８９】
第１の受信フィルタ４３は、端子Ｔ３１から出力される信号からＢＣ１＿Ｒｘの帯域の成分を通過させて、ＢＣ１＿Ｒｘ０の信号を端子Ｔ３３から第１のＲＦトランシーバＩＣ２１へ出力することができる。第２の受信フィルタ４５は、端子Ｔ３１から出力される信号からＢ４＿Ｒｘの帯域の成分を通過させて、Ｂ４＿Ｒｘ０の信号を端子Ｔ３５から第２のＲＦトランシーバＩＣ２２へ出力することができる。
【００９０】
次に、送信時の処理の手順を受信時の処理の手順について説明する。
（１）ＬＴＥ送信処理とＣＤＭＡ送信処理
ベースバンドＩＣ６は、アップリンクのデータからＬＴＥ規格に従ってベースバンド信号ＴｘＡを生成し、アップリンクの音声データからＣＤＭＡ規格に従ってベースバンド信号ＴｘＢを生成し、ベースバンド信号ＴｘＡを第１のＲＦトランシーバＩＣ２１へ出力し、ベースバンド信号ＴｘＢを第２のＲＦトランシーバＩＣ２２へ出力することができる。
【００９１】
第１のＲＦトランシーバＩＣ２１は、ベースバンド信号ＴｘＡを受けて、Ｂ４＿Ｔｘの帯域の信号に周波数変換することができる。第１のＲＦトランシーバＩＣ２１は、Ｂ４＿Ｔｘの帯域の信号を電力増幅器１１へ出力することができる。
【００９２】
電力増幅器１１は、Ｂ４＿Ｔｘの帯域の信号の電力を増幅してデュプレクサ１５へ出力することができる。デュプレクサ１５は、Ｂ４＿Ｔｘの帯域の信号を受信経路への回り込みを防止しつつ、第１のアンテナＡＮＴ１へ出力することができる。Ｂ４＿Ｔｘの帯域の信号の送信が可能な第１のアンテナＡＮＴ１は、Ｂ４＿Ｔｘの帯域の信号を無線基地局へ送信することができる。
【００９３】
第２のＲＦトランシーバＩＣ２２は、ベースバンド信号ＴｘＢを受けて、ＢＣ１＿Ｔｘの帯域の信号に周波数変換することができる。第２のＲＦトランシーバＩＣ２２は、ＢＣ１＿Ｔｘの帯域の信号を電力増幅器１２へ出力することができる。
【００９４】
電力増幅器１２は、ＢＣ１＿Ｔｘの帯域の信号の電力を増幅してクワッドプレクサ３１へ出力することができる。クワッドプレクサ３１は、ＢＣ１＿Ｔｘの帯域の信号を受信経路への回り込みを防止しつつ、第２のアンテナＡＮＴ２へ出力することができる。ＢＣ１＿Ｔｘの帯域の信号の送信が可能な第２のアンテナＡＮＴ２は、ＢＣ１＿Ｔｘの帯域の信号を無線基地局へ送信することができる。
【００９５】
以上の動作によって、ＣＤＭＡ方式の音声送信とＬＴＥ方式のデータ送信との同時実行が可能となる。
【００９６】
（２）ＬＴＥのＭＩＭＯ受信処理とＣＤＭＡの最大比合成ダイバーシティ受信処理
Ｂ４＿Ｒｘの帯域の信号の受信が可能な第１のアンテナＡＮＴ１は、無線基地局からの信号を受信して、デュプレクサ１５へ出力することができる。デュプレクサ１５は、Ｂ４＿Ｒｘの帯域の信号（Ｂ４＿Ｒｘ０）を通過させて、第１のＲＦトランシーバＩＣ２１へ出力することができる。
【００９７】
Ｂ４＿Ｒｘの帯域およびＢＣ１＿Ｒｘの帯域の信号の受信が可能な第２のアンテナＡＮＴ２は、無線基地局からの信号を受信して、クワッドプレクサ３１へ出力することができる。クワッドプレクサ３１は、Ｂ４＿Ｒｘの帯域の信号（Ｂ４＿Ｒｘ１）を通過させて、第１のＲＦトランシーバＩＣ２１へ出力することができるとともに、ＢＣ１＿Ｒｘの帯域の信号（ＢＣ１＿Ｒｘ０）を通過させて、第２のＲＦトランシーバＩＣ２２へ出力することができる。
【００９８】
第１のＲＦトランシーバＩＣ２１は、デュプレクサ１５から出力されたＢ４＿Ｒｘの帯域の信号（Ｂ４＿Ｒｘ０）を周波数変換して得られるベースバンド信号ＲｘＡ０をベースバンドＩＣ６へ出力することができる。第１のＲＦトランシーバＩＣ２１は、クワッドプレクサ３１から出力されたＢ４＿Ｒｘの帯域の信号（Ｂ４＿Ｒｘ１）を周波数変換して得られるベースバンド信号ＲｘＡ１をベースバンドＩＣ６へ出力することができる。
【００９９】
ＢＣ１＿Ｒｘの帯域の信号の受信が可能な第３のアンテナＡＮＴ３は、無線基地局からの信号を受信して、フィルタ１４へ出力することができる。フィルタ１４は、ＢＣ１＿Ｒｘの帯域の信号（ＢＣ１＿Ｒｘ１）を通過させて、第２のＲＦトランシーバＩＣ２２へ出力することができる。
【０１００】
第２のＲＦトランシーバＩＣ２２は、クワッドプレクサ３１から出力されたＢＣ１＿Ｒｘの帯域の信号（ＢＣ１＿Ｒｘ０）を周波数変換して得られるベースバンド信号ＲｘＢ０をベースバンドＩＣ６へ出力することができる。第２のＲＦトランシーバＩＣ２２は、フィルタ１４から出力されたＢＣ１＿Ｒｘの帯域の信号（ＢＣ１＿Ｒｘ１）を周波数変換して得られるベースバンド信号ＲｘＢ１をベースバンドＩＣ６へ出力することができる。
【０１０１】
ベースバンドＩＣ６は、第１のＲＦトランシーバＩＣ２１から送られてくるベースバンド信号ＲｘＡ０と、ベースバンド信号ＲｘＡ１とをＭＩＭＯ受信処理して、信号ＲｘＡを生成することができる。ベースバンドＩＣ６は、信号ＲｘＡからＬＴＥ規格に従ってデータを生成することができる。ベースバンドＩＣ６は、第２のＲＦトランシーバＩＣ２２から送られてくるベースバンド信号ＲｘＢ０と、ベースバンド信号ＲｘＢ１とを最大比合成ダイバーシティ受信処理して、信号ＲｘＢを生成することができる。ベースバンドＩＣ６は、信号ＲｘＢからＣＤＭＡ規格に従って、音声を生成することができる。
【０１０２】
以上の動作によって、ＣＤＭＡ方式の音声の最大比合成ダイバーシティ受信とＬＴＥ方式のデータのＭＩＭＯ受信との同時実行が可能となる。
【０１０３】
上述の（１）の送信処理と（２）の受信処理は、同時に実行することができる。
以上のように、第２の実施形態の無線端末は、第１の実施形態と同様に、ＣＤＭＡ方式とＬＴＥ方式の同時通信機能とダイバーシティ受信機能の両方を実行することができる。さらに、第２の実施形態によれば、アンテナの本数を第１の実施形態よりも１つだけ減らすことができる。
【０１０４】
［第３の実施形態］
第３の実施形態の無線端末１において送受信される無線信号の周波数帯域は、図２に示す第１の実施形態と同様である。
【０１０５】
図９は、第３の実施形態のアンテナ部２および無線処理部３の構成を表わす図である。
図９の第３の実施形態の構成が、図３の第１の実施形態の構成と相違する点は、以下である。
【０１０６】
第３の実施形態のアンテナ部２は、第１のアンテナＡＮＴ１と、第２のアンテナＡＮＴ２と、第３のアンテナＡＮＴ３とを備える。
【０１０７】
第１のアンテナＡＮＴ１は、１７１０ＭＨｚ〜２１５５ＭＨｚにおいて、所定値以下のＶＳＷＲを有する。第１のアンテナＡＮＴ１は、Ｂ４＿Ｔｘの信号を送信することができるとともに、Ｂ４＿Ｒｘ０およびＢＣ１＿Ｒｘ１の信号を受信することができる。第２のアンテナＡＮＴ２は、２１１０ＭＨｚ〜２１５５ＭＨｚにおいて、所定値以下のＶＳＷＲを有する。第２のアンテナＡＮＴ２は、Ｂ４＿Ｒｘ１の信号を受信することができる。第３のアンテナＡＮＴ３は、１８５０ＭＨｚ〜１９９０Ｈｚにおいて、所定値以下のＶＳＷＲを有する。第３のアンテナＡＮＴ３は、ＢＣ１＿Ｔｘの信号を送信することができるとともに、ＢＣ１＿Ｒｘ０の信号を受信することができる。
【０１０８】
第３の実施形態の分波部４は、第１の実施形態の分波部４に含まれる構成要素に加えて、スイッチ回路１９とを備える。
【０１０９】
スイッチ回路１９は、端子Ｐ１，Ｐ２，Ｐ３を備える。端子Ｐ１と端子Ｐ２とが接続される場合には、第１のアンテナＡＮＴ１とＢ４−デュプレクサ１５とが接続される。端子Ｐ１と端子Ｐ３とが接続される場合には、第１のアンテナＡＮＴ１とＢＣ１＿Ｒｘフィルタ１４とが接続される。
【０１１０】
Ｂ４−デュプレクサ１５の端子Ｔ１１は、第１の実施形態では、第１のアンテナＡＮＴ１に接続されていたが、第３の実施形態では、スイッチ回路１９の端子Ｐ２と接続される。
【０１１１】
（１）ＬＴＥ送信処理とＣＤＭＡ送信処理
ＬＴＥ送信処理およびＣＤＭＡ送信処理時には、スイッチ回路１９の端子Ｐ１と端子Ｐ２とが接続される。
【０１１２】
ベースバンドＩＣ６は、アップリンクのデータからＬＴＥ規格に従ってベースバンド信号ＴｘＡを生成し、アップリンクの音声データからＣＤＭＡ規格に従ってベースバンド信号ＴｘＢを生成し、ベースバンド信号ＴｘＡを第１のＲＦトランシーバＩＣ２１へ出力し、ベースバンド信号ＴｘＢを第２のＲＦトランシーバＩＣ２２へ出力することができる。
【０１１３】
第１のＲＦトランシーバＩＣ２１は、ベースバンド信号ＴｘＡを受けて、Ｂ４＿Ｔｘの帯域の信号に周波数変換することができる。第１のＲＦトランシーバＩＣ２１は、Ｂ４＿Ｔｘの帯域の信号を電力増幅器１１へ出力することができる。
【０１１４】
電力増幅器１１は、Ｂ４＿Ｔｘの帯域の信号の電力を増幅してＢ４−デュプレクサ１５へ出力することができる。Ｂ４−デュプレクサ１５は、Ｂ４＿Ｔｘの帯域の信号を受信経路への回り込みを防止しつつ、スイッチ回路１９へ出力することができる。スイッチ回路１９の端子Ｐ１と端子Ｐ２とが接続されているので、Ｂ４−デュプレクサ１５から出力されたＢ４＿Ｔｘの帯域の信号は、第１のアンテナＡＮＴ１へ送られる。Ｂ４＿Ｔｘの帯域の信号の送信が可能な第１のアンテナＡＮＴ１は、Ｂ４＿Ｔｘの帯域の信号を無線基地局へ送信することができる。
【０１１５】
第２のＲＦトランシーバＩＣ２２は、ベースバンド信号ＴｘＢを受けて、ＢＣ１＿Ｔｘの帯域の信号に周波数変換することができる。第２のＲＦトランシーバＩＣ２２は、ＢＣ１＿Ｔｘの帯域の信号を電力増幅器１２へ出力することができる。
【０１１６】
電力増幅器１２は、ＢＣ１＿Ｔｘの帯域の信号の電力を増幅してＢＣ１−デュプレクサ１６へ出力することができる。ＢＣ１−デュプレクサ１６は、ＢＣ１＿Ｔｘの帯域の信号を受信経路への回り込みを防止しつつ、第３のアンテナＡＮＴ３へ出力することができる。ＢＣ１＿Ｔｘの帯域の信号の送信が可能な第３のアンテナＡＮＴ３は、ＢＣ１＿Ｔｘの帯域の信号を無線基地局へ送信することができる。
【０１１７】
以上の動作によって、ＣＤＭＡ方式の音声送信とＬＴＥ方式のデータ送信との同時実行が可能となる。
【０１１８】
（２）ＬＴＥのＭＩＭＯ受信処理とＣＤＭＡ受信処理
ＬＴＥのＭＩＭＯ受信処理およびＣＤＭＡ受信処理時には、スイッチ回路１９の端子Ｐ１と端子Ｐ２とが接続される。
【０１１９】
Ｂ４＿Ｒｘの帯域の信号の受信が可能な第１のアンテナＡＮＴ１は、無線基地局からの信号を受信して、スイッチ回路１９へ出力することができる。スイッチ回路１９の端子Ｐ１と端子Ｐ２とが接続されているので、第１のアンテナＡＮＴ１から出力された信号は、Ｂ４−デュプレクサ１５へ送られる。Ｂ４−デュプレクサ１５は、Ｂ４＿Ｒｘの帯域の信号（Ｂ４＿Ｒｘ０）を通過させて、第１のＲＦトランシーバＩＣ２１へ出力することができる。
【０１２０】
Ｂ４＿Ｒｘの帯域の信号の受信が可能な第２のアンテナＡＮＴ２は、無線基地局からの信号を受信して、Ｂ４＿Ｒｘフィルタ１３へ出力することができる。Ｂ４＿Ｒｘフィルタ１３は、Ｂ４＿Ｒｘの帯域の信号（Ｂ４＿Ｒｘ１）を通過させて、第１のＲＦトランシーバＩＣ２１へ出力することができる。
【０１２１】
第１のＲＦトランシーバＩＣ２１は、Ｂ４−デュプレクサ１５から出力されたＢ４＿Ｒｘの帯域の信号（Ｂ４＿Ｒｘ０）を周波数変換して得られるベースバンド信号ＲｘＡ０をベースバンドＩＣ６へ出力することができる。第１のＲＦトランシーバＩＣ２１は、Ｂ４＿Ｒｘフィルタ１３から出力されたＢ４＿Ｒｘの帯域の信号（Ｂ４＿Ｒｘ１）を周波数変換して得られるベースバンド信号ＲｘＡ１をベースバンドＩＣ６へ出力することができる。
【０１２２】
ＢＣ１＿Ｒｘの帯域の信号の受信が可能な第３のアンテナＡＮＴ３は、無線基地局からの信号を受信して、ＢＣ１−デュプレクサ１６へ出力することができる。ＢＣ１−デュプレクサ１６は、ＢＣ１＿Ｒｘの帯域の信号（ＢＣ１＿Ｒｘ０）を通過させて、第２のＲＦトランシーバＩＣ２２へ出力することができる。
【０１２３】
第２のＲＦトランシーバＩＣ２２は、ＢＣ１−デュプレクサ１６から出力されたＢＣ１＿Ｒｘの帯域の信号（ＢＣ１＿Ｒｘ０）をベースバンド信号ＲｘＢに周波数変換して、ベースバンドＩＣ６へ出力することができる。
【０１２４】
ベースバンドＩＣ６は、第１のＲＦトランシーバＩＣ２１から送られてくるベースバンド信号ＲｘＡ０とベースバンド信号ＲｘＡ１とをＭＩＭＯ受信処理して、信号ＲｘＡを生成することができる。ベースバンドＩＣ６は、信号ＲｘＡからＬＴＥ規格に従ってデータを生成する。ベースバンドＩＣ６は、第２のＲＦトランシーバＩＣ２２から送られてくるベースバンド信号ＲｘＢからＣＤＭＡ規格に従って、音声を生成することができる。
【０１２５】
以上の動作によって、ＣＤＭＡ方式の音声の受信とＬＴＥ方式のデータのＭＩＭＯ受信との同時実行が可能となる。
【０１２６】
上述の（１）の送信処理と（２）の受信処理は、同時に実行することができる。
（３）ＣＤＭＡの最大比合成ダイバーシティ受信処理とＬＴＥ受信処理
ＣＤＭＡの最大比合成ダイバーシティ受信処理およびＬＴＥ受信処理時には、スイッチ回路１９の端子Ｐ１と端子Ｐ３とが接続される。
【０１２７】
ＢＣ１＿Ｒｘの帯域の信号の受信が可能な第１のアンテナＡＮＴ１は、無線基地局からの信号を受信して、スイッチ回路１９へ出力することができる。スイッチ回路１９の端子Ｐ１と端子Ｐ３とが接続されているので、第１のアンテナＡＮＴ１から出力された信号は、ＢＣ１−Ｒｘフィルタ１４へ送られる。ＢＣ１−Ｒｘフィルタ１４は、ＢＣ１＿Ｒｘの帯域の信号（ＢＣ１＿Ｒｘ１）を通過させて、第２のＲＦトランシーバＩＣ２２へ出力することができる。
【０１２８】
Ｂ４＿Ｒｘの帯域の信号の受信が可能な第２のアンテナＡＮＴ２は、無線基地局からの信号を受信して、Ｂ４＿Ｒｘフィルタ１３へ出力することができる。Ｂ４＿Ｒｘフィルタ１３は、Ｂ４＿Ｒｘの帯域の信号（Ｂ４＿Ｒｘ１）を通過させて、第１のＲＦトランシーバＩＣ２１へ出力することができる。
【０１２９】
第１のＲＦトランシーバＩＣ２１は、Ｂ４＿Ｒｘフィルタ１３から出力されたＢ４＿Ｒｘの帯域の信号（Ｂ４＿Ｒｘ１）をベースバンド信号ＲｘＡに周波数変換して、ベースバンドＩＣ６へ出力することができる。
【０１３０】
ＢＣ１＿Ｒｘの帯域の信号の受信が可能な第３のアンテナＡＮＴ３は、無線基地局からの信号を受信して、ＢＣ１−デュプレクサ１６へ出力することができる。ＢＣ１−デュプレクサ１６は、ＢＣ１＿Ｒｘの帯域の信号（ＢＣ１＿Ｒｘ０）を通過させて、第２のＲＦトランシーバＩＣ２２へ出力することができる。
【０１３１】
第２のＲＦトランシーバＩＣ２２は、ＢＣ１−デュプレクサ１６から出力されたＢＣ１＿Ｒｘの帯域の信号（ＢＣ１＿Ｒｘ０）を周波数変換して得られるベースバンド信号ＲｘＢ０をベースバンドＩＣ６へ出力することができる。第２のＲＦトランシーバＩＣ２２は、ＢＣ１−Ｒｘフィルタ１４から出力されたＢＣ１＿Ｒｘの帯域の信号（ＢＣ１＿Ｒｘ１）を周波数変換して得られるベースバンド信号ＲｘＢ１をベースバンドＩＣ６へ出力することができる。
【０１３２】
ベースバンドＩＣ６は、第１のＲＦトランシーバＩＣ２１から送られてくるベースバンド信号ＲｘＡからＬＴＥ規格に従ってデータを生成することができる。ベースバンドＩＣ６は、第２のＲＦトランシーバＩＣ２２から送られてくるベースバンド信号ＲｘＢ０とベースバンド信号ＲｘＢ１とを最大比合成ダイバーシティ受信処理して、信号ＲｘＢを生成することができる。ベースバンドＩＣ６は、信号ＲｘＢからＣＤＭＡ規格に従って、音声を生成することができる。
【０１３３】
以上の動作によって、ＣＤＭＡ方式の音声の最大比合成ダイバーシティ受信とＬＴＥ方式のデータの受信との同時実行が可能となる。
【０１３４】
以上のように、第３の実施形態の無線端末は、ＣＤＭＡ方式とＬＴＥ方式の同時通信機能と、ＣＤＭＡまたはＬＴＥ方式のいずれか一方のダイバーシティ受信機能の両方を実行することができる。さらに、第３の実施形態によれば、アンテナの本数を第１の実施形態よりも１つだけ減らすことができる。
【０１３５】
［第４の実施形態］
第４の実施形態の無線端末１において送受信される無線信号の周波数帯域は、図２に示す第１の実施形態と同様である。
【０１３６】
図１０は、第４の実施形態のアンテナ部２および無線処理部３の構成を表わす図である。
【０１３７】
図１０の第４の実施形態の構成が、図７の第２の実施形態の構成と相違する点は、以下である。
【０１３８】
第４の実施形態のアンテナ部２は、第１のアンテナＡＮＴ１と、第２のアンテナＡＮＴ２とを備える。
【０１３９】
第１のアンテナＡＮＴ１は、１７１０ＭＨｚ〜２１５５ＭＨｚにおいて、所定値以下のＶＳＷＲを有する。第１のアンテナＡＮＴ１は、Ｂ４＿Ｔｘの信号を送信することができるとともに、Ｂ４＿Ｒｘ０およびＢＣ１＿Ｒｘ１の信号を受信することができる。第２のアンテナＡＮＴ２は、１８５０ＭＨｚ〜２１５５ＭＨｚにおいて、所定値以下のＶＳＷＲを有する。第２のアンテナＡＮＴ２は、Ｂ４＿Ｒｘ１およびＢＣ１＿Ｒｘの信号を受信することができるとともに、ＢＣ１＿Ｔｘの信号を送信することができる。
【０１４０】
第４の実施形態の分波部４は、第２の実施形態の分波部４に含まれる構成要素に加えて、スイッチ回路１９を備える。
【０１４１】
スイッチ回路１９は、端子Ｐ１，Ｐ２，Ｐ３を備える。端子Ｐ１と端子Ｐ２とが接続される場合には、第１のアンテナＡＮＴ１とデュプレクサ１５とが接続される。端子Ｐ１と端子Ｐ３とが接続される場合には、第１のアンテナＡＮＴ１とフィルタ１４とが接続される。
【０１４２】
第４の実施形態のデュプレクサ１５およびフィルタ１４は、第３の実施形態のＢ４−デュプレクサ１５およびＢＣ１＿Ｒｘフィルタ１４と同様である。
【０１４３】
第２の実施形態では、Ｂ４−デュプレクサ１５の端子Ｔ１１は、第１のアンテナＡＮＴ１に接続されていたが、第４の実施形態では、デュプレクサ１５の端子Ｔ１１は、スイッチ回路１９の端子Ｐ２と接続される。
【０１４４】
（１）ＬＴＥ送信処理とＣＤＭＡ送信処理
ＬＴＥ送信処理およびＣＤＭＡ送信処理時には、スイッチ回路１９の端子Ｐ１と端子Ｐ２とが接続される。
【０１４５】
ベースバンドＩＣ６は、アップリンクのデータからＬＴＥ規格に従ってベースバンド信号ＴｘＡを生成し、アップリンクの音声データからＣＤＭＡ規格に従ってベースバンド信号ＴｘＢを生成し、ベースバンド信号ＴｘＡを第１のＲＦトランシーバＩＣ２１へ出力し、ベースバンド信号ＴｘＢを第２のＲＦトランシーバＩＣ２２へ出力することができる。
【０１４６】
第１のＲＦトランシーバＩＣ２１は、ベースバンド信号ＴｘＡを受けて、Ｂ４＿Ｔｘの帯域の信号に周波数変換することができる。第１のＲＦトランシーバＩＣ２１は、Ｂ４＿Ｔｘの帯域の信号を電力増幅器１１へ出力することができる。
【０１４７】
電力増幅器１１は、Ｂ４＿Ｔｘの帯域の信号の電力を増幅してデュプレクサ１５へ出力することができる。デュプレクサ１５は、Ｂ４＿Ｔｘの帯域の信号を受信経路への回り込みを防止しつつ、スイッチ回路１９へ出力することができる。スイッチ回路１９の端子Ｐ１と端子Ｐ２とが接続されているので、デュプレクサ１５から出力されたＢ４＿Ｔｘの帯域の信号は、第１のアンテナＡＮＴ１へ送られる。Ｂ４＿Ｔｘの帯域の信号の送信が可能な第１のアンテナＡＮＴ１は、Ｂ４＿Ｔｘの帯域の信号を無線基地局へ送信することができる。
【０１４８】
第２のＲＦトランシーバＩＣ２２は、ベースバンド信号ＴｘＢを受けて、ＢＣ１＿Ｔｘの帯域の信号に周波数変換することができる。第２のＲＦトランシーバＩＣ２２は、ＢＣ１＿Ｔｘの帯域の信号を電力増幅器１２へ出力することができる。
【０１４９】
電力増幅器１２は、ＢＣ１＿Ｔｘの帯域の信号の電力を増幅して、クワッドプレクサ３１へ出力することができる。クワッドプレクサ３１は、ＢＣ１＿Ｔｘの帯域の信号を受信経路への回り込みを防止しつつ、第２のアンテナＡＮＴ２へ出力することができる。ＢＣ１＿Ｔｘの帯域の信号の送信が可能な第２のアンテナＡＮＴ２は、ＢＣ１＿Ｔｘの帯域の信号を無線基地局へ送信することができる。
【０１５０】
以上の動作によって、ＣＤＭＡ方式の音声送信とＬＴＥ方式のデータ送信との同時実行が可能となる。
【０１５１】
（２）ＬＴＥのＭＩＭＯ受信処理とＣＤＭＡ受信処理
ＬＴＥのＭＩＭＯ受信処理およびＣＤＭＡ受信処理時には、スイッチ回路１９の端子Ｐ１と端子Ｐ２とが接続される。
【０１５２】
Ｂ４＿Ｒｘの帯域の信号の受信が可能な第１のアンテナＡＮＴ１は、無線基地局からの信号を受信して、スイッチ回路１９へ出力することができる。スイッチ回路１９の端子Ｐ１と端子Ｐ２とが接続されているので、第１のアンテナＡＮＴ１から出力された信号は、デュプレクサ１５へ送られる。デュプレクサ１５は、Ｂ４＿Ｒｘの帯域の信号（Ｂ４＿Ｒｘ０）を通過させて、第１のＲＦトランシーバＩＣ２１へ出力することができる。
【０１５３】
Ｂ４＿Ｒｘの帯域およびＢＣ１＿Ｒｘの帯域の信号の受信が可能な第２のアンテナＡＮＴ２は、無線基地局からの信号を受信して、クワッドプレクサ３１へ出力することができる。クワッドプレクサ３１は、Ｂ４＿Ｒｘの帯域の信号（Ｂ４＿Ｒｘ１）を通過させて、第１のＲＦトランシーバＩＣ２１へ出力することができるとともに、ＢＣ１＿Ｒｘの帯域の信号（ＢＣ１＿Ｒｘ０）を通過させて、第２のＲＦトランシーバＩＣ２２へ出力することができる。
【０１５４】
第１のＲＦトランシーバＩＣ２１は、デュプレクサ１５から出力されたＢ４＿Ｒｘの帯域の信号（Ｂ４＿Ｒｘ０）を周波数変換して得られるベースバンド信号ＲｘＡ０をベースバンドＩＣ６へ出力することができる。第１のＲＦトランシーバＩＣ２１は、クワッドプレクサ３１から出力されたＢ４＿Ｒｘの帯域の信号（Ｂ４＿Ｒｘ１）を周波数変換して得られるベースバンド信号ＲｘＡ１をベースバンドＩＣ６へ出力することができる。
【０１５５】
第２のＲＦトランシーバＩＣ２２は、クワッドプレクサ３１から出力されたＢＣ１＿Ｒｘの帯域の信号（ＢＣ１＿Ｒｘ０）をベースバンド信号ＲｘＢに周波数変換して、ベースバンドＩＣ６へ出力することができる。
【０１５６】
ベースバンドＩＣ６は、第１のＲＦトランシーバＩＣ２１から送られてくるベースバンド信号ＲｘＡ０と、ベースバンド信号ＲｘＡ１とをＭＩＭＯ受信処理して、信号ＲｘＡを生成することができる。ベースバンドＩＣ６は、信号ＲｘＡからＬＴＥ規格に従ってデータを生成することができる。ベースバンドＩＣ６は、第２のＲＦトランシーバＩＣ２２から送られてくるベースバンド信号ＲｘＢ０と、ベースバンド信号ＲｘＢ１とを最大比合成ダイバーシティ受信処理して、信号ＲｘＢを生成することができる。ベースバンドＩＣ６は、信号ＲｘＢからＣＤＭＡ規格に従って、音声を生成することができる。
【０１５７】
以上の動作によって、ＣＤＭＡ方式の音声の受信とＬＴＥ方式のデータのＭＩＭＯ受信との同時実行が可能となる。
【０１５８】
上述の（１）の送信処理と（２）の受信処理は、同時に実行することができる。
（３）ＣＤＭＡの最大比合成ダイバーシティ受信処理とＬＴＥ受信処理
ＣＤＭＡの最大比合成ダイバーシティ受信処理およびＬＴＥ受信処理時には、スイッチ回路１９の端子Ｐ１と端子Ｐ３とが接続される。
【０１５９】
Ｂ４＿Ｒｘの帯域の信号の受信が可能な第１のアンテナＡＮＴ１は、無線基地局からの信号を受信して、スイッチ回路１９へ出力することができる。スイッチ回路１９の端子Ｐ１と端子Ｐ３とが接続されているので、第１のアンテナＡＮＴ１から出力された信号は、フィルタ１４へ送られる。フィルタ１４は、ＢＣ１＿Ｒｘの帯域の信号（ＢＣ１＿Ｒｘ１）を通過させて、第２のＲＦトランシーバＩＣ２２へ出力することができる。
【０１６０】
Ｂ４＿Ｒｘの帯域およびＢＣ１＿Ｒｘの帯域の信号の受信が可能な第２のアンテナＡＮＴ２は、無線基地局からの信号を受信して、クワッドプレクサ３１へ出力することができる。クワッドプレクサ３１は、Ｂ４＿Ｒｘの帯域の信号（Ｂ４＿Ｒｘ１）を通過させて、第１のＲＦトランシーバＩＣ２１へ出力することができるとともに、ＢＣ１＿Ｒｘの帯域の信号（ＢＣ１＿Ｒｘ０）を通過させて、第２のＲＦトランシーバＩＣ２２へ出力することができる。
【０１６１】
第１のＲＦトランシーバＩＣ２１は、クワッドプレクサ３１から出力されたＢ４＿Ｒｘの帯域の信号（Ｂ４＿Ｒｘ１）をベースバンド信号ＲｘＡに周波数変換して、ベースバンドＩＣ６へ出力することができる。
【０１６２】
第２のＲＦトランシーバＩＣ２２は、クワッドプレクサ３１から出力されたＢＣ１＿Ｒｘの帯域の信号（ＢＣ１＿Ｒｘ０）を周波数変換して得られるベースバンド信号ＲｘＢ０をベースバンドＩＣ６へ出力することができる。第２のＲＦトランシーバＩＣ２２は、フィルタ１４から出力されたＢＣ１＿Ｒｘの帯域の信号（ＢＣ１＿Ｒｘ１）を周波数変換して得られるベースバンド信号ＲｘＢ１をベースバンドＩＣ６へ出力することができる。
【０１６３】
ベースバンドＩＣ６は、第１のＲＦトランシーバＩＣ２１から送られてくるベースバンド信号ＲｘＡからＬＴＥ規格に従ってデータを生成することができる。ベースバンドＩＣ６は、第２のＲＦトランシーバＩＣ２２から送られてくるベースバンド信号ＲｘＢ０とベースバンド信号ＲｘＢ１とを最大比合成ダイバーシティ受信処理して、信号ＲｘＢを生成することができる。ベースバンドＩＣ６は、信号ＲｘＢからＣＤＭＡ規格に従って、音声を生成することができる。
【０１６４】
以上の動作によって、ＣＤＭＡ方式の音声の最大比合成ダイバーシティ受信とＬＴＥ方式のデータの受信との同時実行が可能となる。
【０１６５】
以上のように、第４の実施形態の無線端末は、ＣＤＭＡ方式とＬＴＥ方式の同時通信機能と、ＣＤＭＡまたはＬＴＥ方式のいずれか一方のダイバーシティ受信機能の両方を実行することができる。さらに、第４の実施形態によれば、アンテナの本数を第３の実施形態よりも１つだけ減らすことができる。
【０１６６】
［第５の実施形態］
図１１は、第５の実施形態の無線端末１において送受信される無線信号の周波数帯域を表わす図である。
【０１６７】
送信信号の周波数帯域は、ＢＣ１５＿Ｔｘ（１７１０〜１７５５ＭＨｚ）と、Ｂ２＿Ｔｘ（１８５０〜１９１０ＭＨｚ）である。受信信号の周波数帯域は、Ｂ２＿Ｒｘ（１９３０〜１９９０ＭＨｚ）と、ＢＣ１５＿Ｒｘ（２１１０〜２１５５ＭＨｚ）である。無線端末１は、ダイバーシティ受信するために、受信時には、１つのアンテナを通じてＢＣ１５＿Ｒｘの帯域の信号を受信し（ＢＣ１５＿Ｒｘ０と記す）、別のアンテナを通じてＢＣ１５＿Ｒｘの帯域の信号を受信する（ＢＣ１５＿Ｒｘ１と記す）ことができるとともに、１つのアンテナを通じてＢ２＿Ｒｘの帯域の信号を受信し（Ｂ２＿Ｒｘ０と記す）、別のアンテナを通じてＢ２＿Ｒｘの帯域の信号を受信する（Ｂ２＿Ｒｘ１と記す）ことができる。
【０１６８】
ＢＣ１５＿ＴｘおよびＢＣ１５＿Ｒｘは、ＣＤＭＡにおいて使用されるときのバンド名であり、一般的にＡＷＳ１７００と称される。Ｂ２＿ＴｘおよびＢ２＿Ｒｘは、ＬＴＥにおいて使用されるときのバンド名であり、一般的にＰＣＳ（Personal Communications Service）１９００と称される。
【０１６９】
図１２は、第５の実施形態のアンテナ部２および無線処理部３の構成を表わす図である。
【０１７０】
ベースバンドＩＣ１０６は、第１のＲＦトランシーバＩＣ２１へ出力する音声データおよび第１のＲＦトランシーバＩＣ２１から出力される音声データに対してＣＤＭＡ用のベースバンド処理を実行するとともに、第２のＲＦトランシーバＩＣ２２へ出力するデータおよび第２のＲＦトランシーバＩＣ２２から出力されるデータに対して、ＬＴＥ用のベースバンド処理を実行する。
【０１７１】
第５の実施形態のアンテナ部２は、第２の実施形態で説明したものと同様である。第５の実施形態の無線処理部３は、第２の実施形態で説明したものと同様である。第５の実施形態の分波部４は、第２の実施形態で説明したものと同様である。なぜなら、ＢＣ１５＿ＴｘおよびＢＣ１５＿Ｒｘは、Ｂ４＿ＴｘおよびＢ４＿Ｒｘと同じ帯域であり、Ｂ２＿ＴｘおよびＢ２＿Ｒｘは、ＢＣ１＿ＴｘおよびＢＣ１＿Ｒｘと同じ帯域だからである。
【０１７２】
以上のように、第５の実施形態によれば、第２の実施形態におけるＣＤＭＡ方式で使用する帯域とＬＴＥ方式で使用する帯域とを入れ替えても、第２の実施形態と同様な効果が得られる。
【０１７３】
［第６の実施形態］
第６の実施形態の無線端末１において送受信される無線信号の周波数帯域は、図２に示す第５の実施形態と同様である。
【０１７４】
図１３は、第６の実施形態のアンテナ部２および無線処理部３の構成を表わす図である。
【０１７５】
ベースバンドＩＣ１０６は、第１のＲＦトランシーバＩＣ２１へ出力する音声データおよび第１のＲＦトランシーバＩＣ２１から出力される音声データに対してＣＤＭＡ用のベースバンド処理を実行するとともに、第２のＲＦトランシーバＩＣ２２へ出力するデータおよび第２のＲＦトランシーバＩＣ２２から出力されるデータに対して、ＬＴＥ用のベースバンド処理を実行する。
【０１７６】
第６の実施形態のアンテナ部２は、第４の実施形態で説明したものと同様である。第６の実施形態の無線処理部３は、第４の実施形態で説明したものと同様である。第６の実施形態の分波部４は、第４の実施形態で説明したものと同様である。なぜなら、ＢＣ１５＿ＴｘおよびＢＣ１５＿Ｒｘは、Ｂ４＿ＴｘおよびＢ４＿Ｒｘと同じ帯域であり、Ｂ２＿ＴｘおよびＢ２＿Ｒｘは、ＢＣ１＿ＴｘおよびＢＣ１＿Ｒｘと同じ帯域だからである。
【０１７７】
以上のように、第６の実施形態によれば、第４の実施形態におけるＣＤＭＡ方式で使用する帯域とＬＴＥ方式で使用する帯域とを入れ替えても、第４の実施形態と同様な効果が得られる。
【０１７８】
［第７の実施形態］
図１４は、第７の実施形態の無線端末１において送受信される無線信号の周波数帯域を表わす図である。
【０１７９】
送信信号の周波数帯域は、ＢＣ８＿Ｔｘ（１７１０〜１７８５ＭＨｚ）と、Ｂ１＿Ｔｘ（１９２０〜１９８０ＭＨｚ）である。受信信号の周波数帯域は、ＢＣ８＿Ｒｘ（１８０５〜１８８０ＭＨｚ）と、Ｂ１＿Ｒｘ（２１１０〜２１７０ＭＨｚ）である。無線端末１は、ダイバーシティ受信するために、受信時には、１つのアンテナを通じてＢＣ８＿Ｒｘの帯域の信号を受信し（ＢＣ８＿Ｒｘ０と記す）、別のアンテナを通じてＢＣ８＿Ｒｘの帯域の信号を受信する（ＢＣ８＿Ｒｘ１と記す）ことができるとともに、１つのアンテナを通じてＢ１＿Ｒｘの帯域の信号を受信し（Ｂ１＿Ｒｘ０と記す）、別のアンテナを通じてＢ１＿Ｒｘの帯域の信号を受信する（Ｂ１＿Ｒｘ１と記す）ことができる。
【０１８０】
Ｂ１＿ＴｘおよびＢ１＿Ｒｘは、ＬＴＥにおいて使用されるときのバンド名であり、一般的にＩＭＴ（International Mobile Telecommunication）２１００と称される。ＢＣ８＿ＴｘおよびＢＣ８＿Ｒｘは、ＣＤＭＡにおいて使用されるときのバンド名であり、ＤＣＳ（Digital Cellular Service）１８００と称される。
【０１８１】
図１５は、第７の実施形態のアンテナ部２および無線処理部３の構成を表わす図である。
【０１８２】
第７の実施形態のアンテナ部２は、第１のアンテナＡＮＴ１と、第２のアンテナＡＮＴ２と、第３のアンテナＡＮＴ３とを備える。
【０１８３】
第１のアンテナＡＮＴ１は、１９２０ＭＨｚ〜２１７０ＭＨｚにおいて、所定値以下のＶＳＷＲを有する。第１のアンテナＡＮＴ１は、Ｂ１＿Ｔｘの信号を送信することができるとともに、Ｂ１＿Ｒｘ０の信号を受信することができる。
【０１８４】
第２のアンテナＡＮＴ２は、１７１０ＭＨｚ〜２１７０ＭＨｚにおいて、所定値以下のＶＳＷＲを有する。第２のアンテナＡＮＴ２は、ＢＣ８＿Ｔｘの信号を送信することができるとともに、ＢＣ８＿Ｒｘ０およびＢ１＿Ｒｘ１の信号を受信することができる。
【０１８５】
第３のアンテナＡＮＴ３は、１８０５ＭＨｚ〜１８８０ＭＨｚにおいて、所定値以下のＶＳＷＲを有する。第３のアンテナＡＮＴ３は、ＢＣ８＿Ｒｘ１の信号を受信することができる。
【０１８６】
第７の実施形態の分波部４が第２の実施形態の分波部４と相違する点は以下である。
第７の実施形態のデュプレクサ１５は、Ｂ４＿ＴｘおよびＢ４＿Ｒｘ０の信号の代わりに、Ｂ１＿ＴｘおよびＢ１＿Ｒｘ０の信号を処理することができる。
【０１８７】
第７の実施形態のクワッドプレクサ３１は、Ｂ４＿Ｒｘ１、ＢＣ１＿Ｔｘ、ＢＣ１＿Ｒｘ０の信号の代わりに、Ｂ１＿Ｒｘ１、ＢＣ８＿Ｔｘ、ＢＣ８＿Ｒｘ０の信号を処理することができる。第７の実施形態のフィルタ１４は、ＢＣ１＿Ｒｘ１の信号の代わりに、ＢＣ８＿Ｒｘ１の信号を処理することができる。
【０１８８】
第７の実施形態の第１のＲＦトランシーバＩＣ２１は、Ｂ４＿Ｔｘ、Ｂ４＿Ｒｘ０、Ｂ４＿Ｒｘ１の信号の代わりに、Ｂ１＿Ｔｘ、Ｂ１＿Ｒｘ０、Ｂ１＿Ｒｘ１の信号を処理することができる。第７の実施形態の第２のＲＦトランシーバＩＣ２２は、ＢＣ１＿Ｔｘ、ＢＣ１＿Ｒｘ０、ＢＣ１＿Ｒｘ１の信号の代わりに、ＢＣ８＿Ｔｘ、ＢＣ８＿Ｒｘ０、ＢＣ８＿Ｒｘ１の信号を処理することができる。
【０１８９】
以上のように、第７の実施形態によれば、ＣＤＭＡ方式で使用する帯域とＬＴＥ方式で使用する帯域とを第２の実施形態と異なるものに代えても、第２の実施形態と同様な効果が得られる。
【０１９０】
［第８の実施形態］
第８の実施形態の無線端末１において送受信される無線信号の周波数帯域は、図１４に示す第７の実施形態と同様である。
【０１９１】
図１６は、第８の実施形態のアンテナ部２および無線処理部３の構成を表わす図である。
【０１９２】
第８の実施形態のアンテナ部２は、第１のアンテナＡＮＴ１と、第２のアンテナＡＮＴ２とを備える。
【０１９３】
第１のアンテナＡＮＴ１は、１８０５ＭＨｚ〜２１７０ＭＨｚにおいて、所定値以下のＶＳＷＲを有する。第１のアンテナＡＮＴ１は、Ｂ１＿Ｔｘの信号を送信することができるとともに、Ｂ１＿Ｒｘ０、ＢＣ８＿Ｒｘ１の信号を受信することができる。
【０１９４】
第２のアンテナＡＮＴ２は、１７１０ＭＨｚ〜２１７０ＭＨｚにおいて、所定値以下のＶＳＷＲを有する。第２のアンテナＡＮＴ２は、ＢＣ８＿Ｔｘの信号を送信することができるとともに、ＢＣ８＿Ｒｘ０およびＢ１＿Ｒｘ１の信号を受信することができる。
【０１９５】
第８の実施形態の分波部４が第４の実施形態の分波部４と相違する点は以下である。
第８の実施形態のデュプレクサ１５は、Ｂ４＿ＴｘおよびＢ４＿Ｒｘ０の信号の代わりに、Ｂ１＿ＴｘおよびＢ１＿Ｒｘ０の信号を処理することができる。
【０１９６】
第８の実施形態のクワッドプレクサ３１は、Ｂ４＿Ｒｘ１、ＢＣ１＿Ｔｘ、ＢＣ１＿Ｒｘ０の信号の代わりに、Ｂ１＿Ｒｘ１、ＢＣ８＿Ｔｘ、ＢＣ８＿Ｒｘ０の信号を処理することができる。第８の実施形態のフィルタ１４は、ＢＣ１＿Ｒｘ１の信号の代わりに、ＢＣ８＿Ｒｘ１の信号を処理することができる。
【０１９７】
第８の実施形態の第１のＲＦトランシーバＩＣ２１は、Ｂ４＿Ｔｘ、Ｂ４＿Ｒｘ０、Ｂ４＿Ｒｘ１の信号の代わりに、Ｂ１＿Ｔｘ、Ｂ１＿Ｒｘ０、Ｂ１＿Ｒｘ１の信号を処理することができる。第８の実施形態の第２のＲＦトランシーバＩＣ２２は、ＢＣ１＿Ｔｘ、ＢＣ１＿Ｒｘ０、ＢＣ１＿Ｒｘ１の信号の代わりに、ＢＣ８＿Ｔｘ、ＢＣ８＿Ｒｘ０、ＢＣ８＿Ｒｘ１の信号を処理することができる。
【０１９８】
以上のように、第８の実施形態によれば、ＣＤＭＡ方式で使用する帯域とＬＴＥ方式で使用する帯域とを第４の実施形態と異なるものに代えても、第２の実施形態と同様な効果が得られる。
【０１９９】
［第９の実施形態］
図１７は、第９の実施形態の無線端末１において送受信される無線信号の周波数帯域を表わす図である。
【０２００】
送信信号の周波数帯域は、Ｂ３＿Ｔｘ（１７１０〜１７８５ＭＨｚ）と、ＢＣ６＿Ｔｘ（１９２０〜１９８０ＭＨｚ）である。受信信号の周波数帯域は、Ｂ３＿Ｒｘ（１８０５〜１８８０ＭＨｚ）と、ＢＣ６＿Ｒｘ（２１１０〜２１７０ＭＨｚ）である。無線端末１は、ダイバーシティ受信するために、受信時には、１つのアンテナを通じてＢ３＿Ｒｘの帯域の信号を受信し（Ｂ３＿Ｒｘ０と記す）、別のアンテナを通じてＢ３＿Ｒｘの帯域の信号を受信する（Ｂ３＿Ｒｘ１と記す）ことができるとともに、１つのアンテナを通じてＢＣ６＿Ｒｘの帯域の信号を受信し（ＢＣ６＿Ｒｘ０と記す）、別のアンテナを通じてＢＣ６＿Ｒｘの帯域の信号を受信する（ＢＣ６＿Ｒｘ１と記す）ことができる。
【０２０１】
ＢＣ６＿ＴｘおよびＢＣ６＿Ｒｘは、ＣＤＭＡにおいて使用されるときのバンド名であり、一般的にＩＭＴ（International Mobile Telecommunication）２１００と称される。Ｂ３＿ＴｘおよびＢ３＿Ｒｘは、ＬＴＥにおいて使用されるときのバンド名であり、ＤＣＳ（Digital Cellular Service）１８００と称される。
【０２０２】
図１８は、第９の実施形態のアンテナ部２および無線処理部３の構成を表わす図である。
【０２０３】
ベースバンドＩＣ１０６は、第１のＲＦトランシーバＩＣ２１へ出力する音声データおよび第１のＲＦトランシーバＩＣ２１から出力される音声データに対してＣＤＭＡ用のベースバンド処理を実行するとともに、第２のＲＦトランシーバＩＣ２２へ出力するデータおよび第２のＲＦトランシーバＩＣ２２から出力されるデータに対して、ＬＴＥ用のベースバンド処理を実行する。
【０２０４】
第９の実施形態のアンテナ部２は、第７の実施形態で説明したものと同様である。第９の実施形態の無線処理部３は、第７の実施形態で説明したものと同様である。第９の実施形態の分波部４は、第７の実施形態で説明したものと同様である。なぜなら、Ｂ３＿ＴｘおよびＢ３＿Ｒｘは、ＢＣ８＿ＴｘおよびＢＣ９＿Ｒｘと同じ帯域であり、ＢＣ６＿ＴｘおよびＢＣ６＿Ｒｘは、Ｂ１＿ＴｘおよびＢ１＿Ｒｘと同じ帯域だからである。
【０２０５】
以上のように、第９の実施形態によれば、第７の実施形態におけるＣＤＭＡ方式で使用する帯域とＬＴＥ方式で使用する帯域とを入れ替えても、第７の実施形態と同様な効果が得られる。
【０２０６】
［第１０の実施形態］
第１０の実施形態の無線端末１において送受信される無線信号の周波数帯域は、図１７に示す第９の実施形態と同様である。
【０２０７】
図１９は、第１０の実施形態のアンテナ部２および無線処理部３の構成を表わす図である。
【０２０８】
ベースバンドＩＣ１０６は、第１のＲＦトランシーバＩＣ２１へ出力する音声データおよび第１のＲＦトランシーバＩＣ２１から出力される音声データに対してＣＤＭＡ用のベースバンド処理を実行するとともに、第２のＲＦトランシーバＩＣ２２へ出力するデータおよび第２のＲＦトランシーバＩＣ２２から出力されるデータに対して、ＬＴＥ用のベースバンド処理を実行する。
【０２０９】
第１０の実施形態のアンテナ部２は、第８の実施形態で説明したものと同様である。第１０の実施形態の無線処理部３は、第８の実施形態で説明したものと同様である。第１０の実施形態の分波部４は、第８の実施形態で説明したものと同様である。なぜなら、Ｂ３＿ＴｘおよびＢ３＿Ｒｘは、ＢＣ８＿ＴｘおよびＢＣ９＿Ｒｘと同じ帯域であり、ＢＣ６＿ＴｘおよびＢＣ６＿Ｒｘは、Ｂ１＿ＴｘおよびＢ１＿Ｒｘと同じ帯域だからである。
【０２１０】
以上のように、第１０の実施形態によれば、第８の実施形態におけるＣＤＭＡ方式で使用する帯域とＬＴＥ方式で使用する帯域とを入れ替えても、第８の実施形態と同様な効果が得られる。
【０２１１】
［第１１の実施形態］
第１１の実施形態の無線端末は、ＬＴＥに対応したものを想定する。第１１の実施形態の無線端末は、送信時には、キャリアアグリゲーション技術を用いてデータを送信することができる。第１１の実施形態の無線端末は、受信時には、キャリアアグリゲーション技術とダイバーシティ受信技術を用いてデータを受信することができる。
【０２１２】
図２０は、第１１の実施形態の無線端末１において送受信される無線信号の周波数帯域を表わす図である。送信信号の周波数帯域は、Ｂ４＿Ｔｘ（１７１０〜１７５５ＭＨｚ）と、Ｂ２＿Ｔｘ（１８５０〜１９１０ＭＨｚ）である。受信信号の周波数帯域は、Ｂ２＿Ｒｘ（１９３０〜１９９０ＭＨｚ）と、Ｂ４＿Ｒｘ（２１１０〜２１５５ＭＨｚ）である。無線端末１は、ダイバーシティ受信するために、受信時には、１つのアンテナを通じてＢ２＿Ｒｘの帯域の信号を受信し（Ｂ２＿Ｒｘ０と記す）、別のアンテナを通じてＢ２＿Ｒｘの帯域の信号を受信する（Ｂ２＿Ｒｘ１と記す）ことができるとともに、１つのアンテナを通じてＢ４＿Ｒｘの帯域の信号を受信し（Ｂ４＿Ｒｘ０と記す）、別のアンテナを通じてＢ４＿Ｒｘの帯域の信号を受信する（Ｂ４＿Ｒｘ１と記す）ことができる。
【０２１３】
Ｂ２＿ＴｘおよびＢ２＿Ｒｘは、ＬＴＥにおいて使用されるときのバンド名であり、一般的にＰＣＳ（Personal Communications Service）１９００と称される。Ｂ４＿ＴｘおよびＢ４＿Ｒｘは、ＬＴＥにおいて使用されるときのバンド名であり、ＡＷＳ（Advanced Wireless Service）１７００と称される。
【０２１４】
図２１は、第１１の実施形態のアンテナ部２および無線処理部３の構成を表わす図である。
【０２１５】
無線処理部３は、分波部４と、ＲＦ処理部５と、ベースバンドＩＣ６とを備える。
ベースバンドＩＣ２０６は、ＬＴＥ用のベースバンド処理を実行する。具体的には、ベースバンドＩＣ２０６は、ダウンリンクデータに対して、チャネル復号化、離散フーリエ変換（ＤＦＴ）、デマッピング、フーリエ変換（ＦＦＴ）、データ復調等の処理を行なう。ベースバンドＩＣ２０６は、アップリンクデータに対して、チャネル符号化、データ変調、マッピング、逆フーリエ変換（ＩＦＦＴ）等の処理を行う。
【０２１６】
ベースバンドＩＣ２０６は、キャリアアグリゲーション送信処理として、ダウンリンクデータをラウンドロビン方式などの所定の規則に従って、第１のＲＦトランシーバＩＣ２１用と、第２のＲＦトランシーバＩＣ２２用の２系統に分割することができる。ベースバンドＩＣ２０６は、分割されたデータに対して、上記のダウンリンクデータ用のベースバンド処理を実行することができる。
【０２１７】
ベースバンドＩＣ２０６は、キャリアアグリゲーション受信処理として、第１のＲＦトランシーバＩＣ２１から出力されるデータおよび第２のＲＦトランシーバＩＣ２２から出力されるデータに対してそれぞれ上述のアップリンクデータ用のベースバンド処理を実行することによって、無線基地局において送信時に分割されたデータを得ることができる。ベースバンドＩＣ２０６は、得られた分割されたデータを統合して元のデータを再生することができる。
【０２１８】
アンテナ部２は、第１のアンテナＡＮＴ１と、第２のアンテナＡＮＴ２と、第３のアンテナＡＮＴ３とを備える。
【０２１９】
第１のアンテナＡＮＴ１は、１７１０ＭＨｚ〜２１５５ＭＨｚにおいて、所定値以下のＶＳＷＲを有する。第１のアンテナＡＮＴ１は、Ｂ４＿Ｔｘの信号を送信することができるとともに、Ｂ４＿Ｒｘ０の信号を受信することができる。第２のアンテナＡＮＴ２は、１８５０ＭＨｚ〜２１５５ＭＨｚにおいて、所定値以下のＶＳＷＲを有する。第２のアンテナＡＮＴ２は、Ｂ２＿Ｔｘの信号を送信することができるとともに、Ｂ４＿Ｒｘ１およびＢ２＿Ｒｘ０の信号を受信することができる。第３のアンテナＡＮＴ３は、１９３０ＭＨｚ〜１９９０ＭＨｚにおいて、所定値以下のＶＳＷＲを有する。第３のアンテナＡＮＴ３は、Ｂ２＿Ｒｘ１の信号を受信することができる。
【０２２０】
第１１の実施形態の分波部４が第２の実施形態の分波部４と相違する点は以下である。
第１１の実施形態のクワッドプレクサ３１は、Ｂ４＿Ｒｘ１、ＢＣ１＿Ｔｘ、ＢＣ１＿Ｒｘ０の信号の代わりに、Ｂ４＿Ｒｘ１、Ｂ２＿Ｔｘ、Ｂ２＿Ｒｘ０の信号を処理することができる。
【０２２１】
第１１の実施形態のフィルタ１４は、ＢＣ１＿Ｒｘ１の信号の代わりに、Ｂ２＿Ｒｘ１の信号を処理することができる。第１１の実施形態の第２のＲＦトランシーバＩＣ２２は、ＢＣ１＿Ｔｘ、ＢＣ１＿Ｒｘ０、ＢＣ１＿Ｒｘ１の信号の代わりに、Ｂ２＿Ｔｘ、Ｂ２＿Ｒｘ０、Ｂ２＿Ｒｘ１の信号を処理することができる。
【０２２２】
次に、送信時の処理の手順を受信時の処理の手順について説明する。
（１）キャリアグリゲーション送信処理
ベースバンドＩＣ２０６は、アップリンクデータをベースバンド信号ＴｘＡとベースバンド信号ＴｘＢの２系統に分割して、ベースバンド信号ＴｘＡを第１のＲＦトランシーバＩＣ２１へ出力し、ベースバンド信号ＴｘＢを第２のＲＦトランシーバＩＣ２２へ出力することができる。
【０２２３】
ベースバンドＩＣ２０６は、アップリンクデータをベースバンド信号ＴｘＡとベースバンド信号ＴｘＢの２系統に分割して、ベースバンド信号ＴｘＡを第１のＲＦトランシーバＩＣ２１へ出力し、ベースバンド信号ＴｘＢを第２のＲＦトランシーバＩＣ２２へ出力することができる。
【０２２４】
第１のＲＦトランシーバＩＣ２１は、ベースバンド信号ＴｘＡを受けて、Ｂ４＿Ｔｘの帯域の信号に周波数変換することができる。第１のＲＦトランシーバＩＣ２１は、Ｂ４＿Ｔｘの帯域の信号を電力増幅器１１へ出力することができる。
【０２２５】
電力増幅器１１は、Ｂ４＿Ｔｘの帯域の信号の電力を増幅してデュプレクサ１５へ出力することができる。デュプレクサ１５は、Ｂ４＿Ｔｘの帯域の信号を受信経路への回り込みを防止しつつ、第１のアンテナＡＮＴ１へ出力することができる。Ｂ４＿Ｔｘの帯域の信号の送信が可能な第１のアンテナＡＮＴ１は、Ｂ４＿Ｔｘの帯域の信号を無線基地局へ送信することができる。
【０２２６】
第２のＲＦトランシーバＩＣ２２は、ベースバンド信号ＴｘＢを受けて、Ｂ２＿Ｔｘの帯域の信号に周波数変換することができる。第２のＲＦトランシーバＩＣ２２は、Ｂ２＿Ｔｘの帯域の信号を電力増幅器１２へ出力することができる。
【０２２７】
電力増幅器１２は、Ｂ２＿Ｔｘの帯域の信号の電力を増幅してクワッドプレクサ３１へ出力することができる。クワッドプレクサ３１は、Ｂ２＿Ｔｘの帯域の信号を受信経路への回り込みを防止しつつ、第２のアンテナＡＮＴ２へ出力することができる。Ｂ２＿Ｔｘの帯域の信号の送信が可能な第２のアンテナＡＮＴ２は、Ｂ２＿Ｔｘの帯域の信号を無線基地局へ送信することができる。
【０２２８】
以上の動作によって、キャリアアグリゲーション送信が可能となる。
（２）ＭＩＭＯ受信処理およびキャリアアグリゲーション受信処理
Ｂ４＿Ｒｘの帯域の信号の受信が可能な第１のアンテナＡＮＴ１は、無線基地局からの信号を受信して、デュプレクサ１５へ出力することができる。デュプレクサ１５は、Ｂ４＿Ｒｘの帯域の信号（Ｂ４＿Ｒｘ０）を通過させて、第１のＲＦトランシーバＩＣ２１へ出力することができる。
【０２２９】
Ｂ４＿Ｒｘの帯域およびＢ２＿Ｒｘの帯域の信号の受信が可能な第２のアンテナＡＮＴ２は、無線基地局からの信号を受信して、クワッドプレクサ３１へ出力することができる。クワッドプレクサ３１は、Ｂ４＿Ｒｘの帯域の信号（Ｂ４＿Ｒｘ１）を通過させて、第１のＲＦトランシーバＩＣ２１へ出力することができるとともに、Ｂ２＿Ｒｘの帯域の信号（Ｂ２＿Ｒｘ０）を通過させて、第２のＲＦトランシーバＩＣ２２へ出力することができる。
【０２３０】
第１のＲＦトランシーバＩＣ２１は、デュプレクサ１５から出力されたＢ４＿Ｒｘの帯域の信号（Ｂ４＿Ｒｘ０）を周波数変換して得られるベースバンド信号ＲｘＡ０をベースバンドＩＣ２０６へ出力することができる。第１のＲＦトランシーバＩＣ２１は、クワッドプレクサ３１から出力されたＢ４＿Ｒｘの帯域の信号（Ｂ４＿Ｒｘ１）を周波数変換して得られるベースバンド信号ＲｘＡ１をベースバンドＩＣ２０６へ出力することができる。
【０２３１】
Ｂ２＿Ｒｘの帯域の信号の受信が可能な第３のアンテナＡＮＴ３は、無線基地局からの信号を受信して、フィルタ１４へ出力することができる。フィルタ１４は、Ｂ２＿Ｒｘの帯域の信号（Ｂ２＿Ｒｘ１）を通過させて、第２のＲＦトランシーバＩＣ２２へ出力することができる。
【０２３２】
第２のＲＦトランシーバＩＣ２２は、クワッドプレクサ３１から出力されたＢ２＿Ｒｘの帯域の信号（Ｂ２＿Ｒｘ０）を周波数変換して得られるベースバンド信号ＲｘＢ０をベースバンドＩＣ２０６へ出力することができる。第２のＲＦトランシーバＩＣ２２は、フィルタ１４から出力されたＢ２＿Ｒｘの帯域の信号（Ｂ２＿Ｒｘ１）を周波数変換して得られるベースバンド信号ＲｘＢ１をベースバンドＩＣ２０６へ出力することができる。
【０２３３】
ベースバンドＩＣ２０６は、第１のＲＦトランシーバＩＣ２１から送られてくるベースバンド信号ＲｘＡ０と、ベースバンド信号ＲｘＡ１とをＭＩＭＯ受信処理して、信号ＲｘＡを生成することができる。ベースバンドＩＣ２０６は、第２のＲＦトランシーバＩＣ２２から送られてくるベースバンド信号ＲｘＢ０と、ベースバンド信号ＲｘＢ１とをＭＩＭＯ受信処理して、信号ＲｘＢを生成することができる。ベースバンドＩＣ２０６は、信号ＲｘＡと信号ＲｘＢとを統合して、無線基地局から出力されたダウンリンクデータを生成することができる。
【０２３４】
以上の動作によって、ＭＩＭＯ受信処理およびキャリアアグリゲーション受信処理が可能となる。
【０２３５】
上述の（１）の送信処理と（２）の受信処理は、同時に実行することができる。
以上のように、第１１の実施形態の無線端末は、互いに異なる周波数帯域にデータを分割して送信し、帯域Ａの２つのデータを異なるアンテナで受信するとともに、帯域Ｂの２つのデータを異なるアンテナで受信する。これによって、無線端末は、キャリアグリゲーションの通信機能とＭＩＭＯ受信機能の両方を実行することができる。
【０２３６】
（変形例）
本開示は、上記の実施形態に限定されるものではない。以下の変形例も本開示に含まれる。
【０２３７】
（１）上記の実施の形態では、無線通処理部は、２つまたは３つのＩＣによって構成されるものとしたが、これに限定するものではない。これらの複数のＩＣの機能を１つのＩＣが実装するものとしてもよい。
【０２３８】
（２）第２、第４〜第１１の実施形態では、１つの送信フィルタの入力が終端されたクワッドプレクサを用いたが、これに限定するものではない。たとえば、終端されるフィルタを有さないトリプレクサを用いてもよい。
【０２３９】
（３）上記の実施形態では、無線端末を２つのバンドの送信および２つのバンドの受信が可能であるが、３つ以上のバンドの送信および３つ以上のバンドの受信ができるように拡張してもよい。
【０２４０】
今回開示された実施の形態はすべての点で例示であって制限的なものではないと考えられるべきである。本開示の範囲は上記した説明ではなくて特許請求の範囲によって示され、特許請求の範囲と均等の意味および範囲内でのすべての変更が含まれることが意図される。
【符号の説明】
【０２４１】
１  無線端末、２  アンテナ部、３  無線処理部、４  分波部、５  無線処理部、６，１０６，２０６  ベースバンドＩＣ、１１，１２  電力増幅器、１３，１４  フィルタ、１５，１６  デュプレクサ、１９  スイッチ回路、２１，２２  ＲＦトランシーバＩＣ、３１  クワッドプレクサ、４７，４８  終端抵抗、４４０  制御部、５０  スピーカ、５２  マイク、５４  ディスプレイ、５６  タッチパネル、５８  カメラ、４２，４４，７２，７５  送信フィルタ、４３，４５，７３，７６  受信フィルタ、９２，９６  送信処理部、９３，９４，９７，９８  受信処理部、ＡＮＴ１，ＡＮＴ２，ＡＮＴ３，ＡＮＴ４  アンテナ、Ｐ１〜Ｐ３，Ｔ１〜Ｔ１６，Ｔ３１〜Ｔ３５  端子。
【図１】
0006478786.tif 000002
【図２】
0006478786.tif 000003
【図３】
0006478786.tif 000004
【図４】
0006478786.tif 000005
【図５】
0006478786.tif 000006
【図６】
0006478786.tif 000007
【図７】
0006478786.tif 000008
【図８】
0006478786.tif 000009
【図９】
0006478786.tif 000010
【図１０】
0006478786.tif 000011
【図１１】
0006478786.tif 000012
【図１２】
0006478786.tif 000013
【図１３】
0006478786.tif 000014
【図１４】
0006478786.tif 000015
【図１５】
0006478786.tif 000016
【図１６】
0006478786.tif 000017
【図１７】
0006478786.tif 000018
【図１８】
0006478786.tif 000019
【図１９】
0006478786.tif 000020
【図２０】
0006478786.tif 000021
【図２１】
0006478786.tif 000022